(57)【要約】【目的】  表示装置の画面が表示される面、鏡のユーザーを映す面、又は建物の窓板の室内側の面のスペースを利用した暖房方法及び装置を提供する。【構成】  本発明は、表示装置の画面が表示される面、鏡のユーザーを映す面、又は建物の窓板の室内側の面と対向するように前記各面のユーザー側に配置された透明な赤外線放出部であって、暖房用の赤外線を、自らの一部又は全面から、ユーザーに向けて放出するための透明な赤外線放出部、を備えた暖房方法及び装置である。【選択図】    図１Ａ
2005337698.tif 000002
【特許請求の範囲】
【請求項１】
「表示装置の画面が表示される面、鏡のユーザーを映す面、又は建物の窓板の室内側の面」のユーザー側にこれらに対して接触し又は接触しないように且つ略平行に対向するように配置された対向面を有する部材（例えば、シート状又はフィルム状の部材）に供給されるべき赤外線を発生する赤外線発生ステップと、
前記の発生された赤外線を、前記部材の前記対向面の一部又は全部に拡散させ（例えば、シート状又はフィルム状の部材の略全面に拡散させ）、この拡散された赤外線を、暖房用の赤外線として、ユーザーの居る方向に向けて放出する赤外線放出ステップと、
を含むことを特徴とする、暖房方法。
【請求項２】
「表示装置の画面が表示される面、鏡のユーザーを映す面、又は建物の窓板の室内側の面」のユーザー側にこれらに対して接触し又は接触しないように且つ略平行に対向するように配置された対向面を有する部材（例えば、シート状又はフィルム状の部材）の一部又は全部から（例えば、シート状又はフィルム状の部材の略全体から）、暖房用の赤外線を、ユーザーの居る方向に向けて放出するようにした、ことを特徴とする、暖房方法。
【請求項３】
「表示装置の画面が表示される面、鏡のユーザーを映す面、又は建物の窓板の室内側の面」のユーザー側にこれらに対して接触し又は接触しないように且つ略平行に対向するように配置された対向面を有する部材（例えば、シート状又はフィルム状の部材）に供給されるべき赤外線を発生するための赤外線発生部と、
前記対向面を有する透明な赤外線放出部であって、前記赤外線発生部により発生された赤外線を、前記対向面の一部又は全部に拡散させ（例えば、シート状又はフィルム状の部材の略全面に拡散させ）、この拡散された赤外線を、暖房用の赤外線として、前記対向面の一部又は全部からユーザーの居る方向に向けて放出するための透明な赤外線放出部と、
を備えたことを特徴とする、暖房装置。
【請求項４】
「表示装置の画面が表示される面、鏡のユーザーを映す面、又は建物の窓板の室内側の面」のユーザー側にこれらに対して接触し又は接触しないように且つ略平行に対向するように配置された対向面を有する透明な赤外線放出部であって、前記対向面の一部又は全部から（例えば、シート状又はフィルム状の部材の略全面から）、暖房用の赤外線を、ユーザーの居る方向に向けて放出するための透明な赤外線放出部、を備えたことを特徴とする、暖房装置。
【請求項５】
請求項４において、
前記透明な赤外線放出部は、外部の赤外線発生部から供給された赤外線を、前記対向面の一部又は全部に拡散し（例えば、シート状又はフィルム状の部材の略全面に拡散し）、この拡散した赤外線を、暖房用の赤外線として、前記対向面の一部又は全部からユーザーの居る方向に向けて放出するための透明な導光板を含むものである、ことを特徴とする、暖房装置。
【請求項６】
請求項４において、
前記透明な赤外線放出部は、
前記「表示装置の画面が表示される面、鏡のユーザーを映す面、又は建物の窓板の室内側の面」のユーザー側にこれと対向するように配置され、自らがその一部又は全部から（例えば、シート状又はフィルム状の部材の略全面から）、暖房用の赤外線を発生し、これを前記対向面の一部又は全部からユーザーの居る方向に向けて放射するための面状の（例えば、シート状又はフィルム状の）透明な赤外線放射体と、
前記赤外線放射体と対向し且つ接触するように配置され、前記赤外線放射体を加熱するための面状の（例えば、シート状又はフィルム状の）透明な発熱体（透明ヒーター）と、
を備えている、ことを特徴とする、暖房装置。
【請求項７】
請求項４において、
前記透明な赤外線放出部は、
導電性を有しており、外部から供給される電流により自らが発熱し、この発熱により、自らがその一部又は全部から暖房用の赤外線を発生し、これを前記対向面の一部又は全部からユーザーの居る方向に向けて放射するための、面状の（例えば、シート状又はフィルム状の）透明な赤外線放射体、により構成されている、ことを特徴とする、暖房装置。
【請求項８】
請求項４において、
前記透明な赤外線放出部は、
前記の「表示装置の画面が表示される面、鏡のユーザーを映す面、又は建物の窓板の室内側の面」のユーザー側の位置に配置された赤外線放射装置から放射される赤外線を前記対向面の一部又は全部で受けて、それを暖房用の赤外線としてユーザーの居る方向に向けて反射させるための透明な反射部、により構成されている、ことを特徴とする、暖房装置。
【請求項９】
「映像などの画面を表示するための画面表示部の表示面のユーザー側にこれと接触し又は接触しないように且つこれと略平行に対向するように配置された対向面」を有する部材（例えば、シート状又はフィルム状の部材）に供給されるべき赤外線を発生する（赤外線を前記画面表示部が画面を表示しているとき又は表示していないときに発生する）ための赤外線発生部と、
前記赤外線発生部により発生された赤外線を、前記対向面の一部又は全部に拡散させ（例えば、シート状又はフィルム状の部材の略全面に拡散させ）、この拡散された赤外線を、暖房用の赤外線として、前記対向面の一部又は全部からユーザーの居る方向に向けて放出するための赤外線放出部と、
を備えたことを特徴とする、暖房装置。
【請求項１０】
請求項９において、
前記赤外線発生部は、前記画面表示部が何らかの画面を表示しているときだけ、赤外線を発生するように構成されている、ことを特徴とする暖房装置。
【請求項１１】
「映像などの画面を表示するための画面表示部の表示面のユーザー側にこれと接触し又は接触しないように且つこれと略平行に対向するように配置された対向面」を有する透明な赤外線放出部であって、前記対向面の一部又は全部から（例えば、シート状又はフィルム状の部材の略全面から）、暖房用の赤外線を、ユーザーの居る方向に向けて放出するための透明な赤外線放出部、を備えたことを特徴とする、暖房装置。
【請求項１２】
請求項１１において、
前記赤外線放出部は、前記画面表示部が何らかの画面を表示しているときだけ、赤外線を放出するように構成されている、ことを特徴とする暖房装置。
【請求項１３】
画像を表示するためのスクリーンのユーザーに近い側又はユーザーと反対側に設置された画像投射部であって前記スクリーンに向けて画像を投射するための画像投射部と、
前記スクリーンよりユーザーに近い側に配置され、前記スクリーンに向けて赤外線を放出するための赤外線放出部と、
「前記スクリーンと略平行でこれと対向する対向面であって、前記表示面のユーザー側にこれと接触し又は接触しないように配置された対向面」を有しており、前記スクリーンのユーザー側に配置され、前記画像投射部から画像が投射されているとき又は投射されていないとき、前記赤外線放射部からの赤外線を前記対向面の一部又は全部で受けて、それを暖房用の赤外線としてユーザーの居る方向に向けて反射させるための透明な反射部と、
を備えたことを特徴とする、暖房装置。
【請求項１４】
画面を表示するための表示パネルと、
前記表示パネルのユーザーと反対側に配置された、赤外線を放出するための赤外線放出部と、を備え、
前記表示パネルは、画像を表示しているとき又は画像を表示していないとき、前記赤外線放射部からの赤外線を、暖房用の赤外線として、ユーザーの居る方向に透過できるように構成されている、ことを特徴とする、暖房機能付き表示装置。
【請求項１５】
画像を表示するためのスクリーンと、
前記スクリーンのユーザーに近い側又はユーザーと反対側から、前記スクリーンに向けて画像を投射するための画像投射部と、
前記スクリーンのユーザーと反対側の位置に設置された、赤外線を放出するための赤外線放出部と、を備え、
前記スクリーンは、前記表示投射部から画像が投射されているとき又は投射されていないとき、前記赤外線放射部からの赤外線を、暖房用の赤外線として、ユーザーの居る方向に透過させることができるように構成されている、ことを特徴とする、暖房機能付き表示装置。
【発明の詳細な説明】
【技術分野】
【０００１】
本発明は、建物の室内用の暖房方法及び装置に関する。
【背景技術】
【０００２】
建物の室内に設置されるテレビの表示画面、住宅の脱衣場などに設置される鏡台又は化粧台の鏡面などは、近年、大型化が続き、建物の室内全体の中で大きなスペースを占めるに至っている。また、建物の窓板のユーザー側の面も、建物の室内全体の中で大きなスペースを占めるに至っている。
【０００３】
特許文献１は、「テレビの排熱を排熱パイプ６とファン５により室内に放出することにより、テレビに暖房作用を持たせる」というアイデアを開示している。
【０００４】
特許文献２は、「温暖感又は冷涼感を演出する映像を表示する受像機と冷暖房機からの冷暖気を吹き出す吹き出し口とを一つのキャビネットに一体的に構成して成る室内ユニット」を開示している。
【０００５】
特許文献３は、「炎の燃焼状態を録画した映像を表示させて暖かいイメージをユーザーに抱かせる」というアイデアを開示している。
【０００６】
特許文献４は、「部屋の天井面や壁面などに設置される遠赤外線反射面１６であって、遠赤外線反射塗料などの遠赤外線反射材料から成る遠赤外線反射面１６」（特許文献４の図１Ａ、図３Ａ、図４Ａ、及び図５参照）を開示している。
【０００７】
特許文献５は、「浴室の天井などに配置した複数のハロゲン白熱灯などの赤外線放射源と、浴室の内壁面に配置した遠赤外線を放射する遠赤外線放射パネルとを備え、前記赤外線放射源からの赤外線を前記遠赤外線放射パネルに放射することにより、前記赤外線放射源からの赤外線を前記遠赤外線放射パネルにより再度放射して、室内の暖房効率を向上させるようにした遠赤外線暖房装置」を開示している。
【０００８】
特許文献６は、「電力を受けて発熱することにより近赤外線及び可視光線を放射するフィラメント４１１から発生されて石英バルブ４１２を透過した近赤外線が、前記石英バルブ４１２の表面にコーティングされた高効率放射セラミック４１４を加熱し、これにより前記高効率放射セラミック４１４から遠赤外線が高効率に放射されるようになっている暖房装置」を開示している（特許文献６の段落００１９参照）。
【０００９】
特許文献７は、「住宅の洗面台や手洗い台本体に取り付けられた化粧鏡ユニットであって、空気ダクトと、外部からの空気を取り込んで前記空気ダクト内を移動させる送風機と、前記空気ダクト内を移動中の空気を加熱するための加熱手段と、前記加熱手段により加熱された空気を前記送風機により外部に吐出するための空気吹出し口と、を備えた化粧鏡ユニット」を開示している。
【００１０】
特許文献８は、「脱衣室用の化粧台の鏡板の上方に赤外線ランプを設けて、この赤外線ランプからの赤外線をユーザー方向に放射して暖房に利用すること」を開示している。
【００１１】
特許文献９は、（ａ）ＰＥＴ（Ｐｏｌｙｅｔｈｙｌｅｎｅ  Ｔｅｒｅｐｈｔｈａｌａｔｅ）を支持体とするフレキシブルな透明フィルムに炭素繊維と特殊インクとの混合物を印刷して成る面状ヒーターであって、通電すると遠赤外線を発生する面状ヒーターと、（ｂ）断熱板と、（ｃ）内壁面の表面用化粧板とを互いに貼り付けて成るヒーターパネル１０（特許文献９の図１参照）を、住宅の壁面や天井に取り付けた暖房システムを開示している。なお、この特許文献９においては、前記ヒーターパネル１０を構成する表面化粧板として、セラミック、ガラス、又は鏡を用いることができる、と記載されている。この特許文献９の発明は、前記面状ヒーターのユーザー側に内壁面用の表面化粧板（セラミック、ガラス、又は鏡を含む）を配置させる、というものである。
【特許文献１】特開昭５１−４８９２２号公報
【特許文献２】特開平１１−２２３３４５号公報
【特許文献３】特開２００２−１２３２０６号公報
【特許文献４】特開２０００−８８２５７号公報
【特許文献５】特開平６−２８８５５７号公報
【特許文献６】特開平７−１３９７４３号公報
【特許文献７】特開２００１−３０９８６２号公報
【特許文献８】特開昭５９−１４８６３９号公報
【特許文献９】特開２０００−３４６３８４号公報
【発明の開示】
【発明が解決しようとする課題】
【００１２】
近年は、テレビの表示画面、並びに、鏡台又は化粧台の鏡面の大面積化が進んでいる。また、近年は建物の建築技術の向上と住居やオフィスの快適性の要請から、建物の開口部に取り付けられる窓板面の広面積化が進んでいる。そのため、近年の住宅などの建物においては、「大面積化したテレビの表示画面、鏡台又は化粧台の鏡面などの、室内に設置された電気製品や家具のユーザーから見て縦方向の面、又は建物の窓板のユーザー側の面」が、室内のユーザーから見て縦方向（垂直方向）のスペースの相当の部分を占有してしまうために、室内の家具などの自由なレイアウト・デザインにとって大きな制約を与えてしまうという問題が発生している。
【００１３】
前述のような従来技術を検討しても、近年の大型化したテレビの表示画面、鏡台又は化粧台の鏡面、その他の家具や電気製品のユーザーから見て縦方向の面、又は建物の窓板のユーザー側の面のスペース（ユーザーからみて垂直方向のスペース）を、室内の暖房のために利用するという発想は、全く窺うことができない。
【００１４】
本発明は、近年の大型化したテレビの表示画面、鏡台又は化粧台の鏡面、その他の家具や電気製品のユーザーから見て縦方向の面、又は建物の窓板面などのユーザー側のスペース（ユーザーからみて垂直方向のスペース）を利用した暖房方法及び装置を提供することを目的とする。また、本発明は、透明素材を使用することにより、表示装置の表示面、鏡台又は化粧台の鏡面、又は窓板面などの本来の機能を損なうことなく、表示装置の表示面、鏡台又は化粧台の鏡面、又は窓板面などのユーザーから見て垂直方向のスペースを有効に活用して効率的な赤外線暖房を行うことができる暖房方法及び装置を提供することを目的とする。
【課題を解決するための手段】
【００１５】
本明細書で開示する暖房方法の発明は、「表示装置の画面が表示される面、鏡のユーザーを映す面、又は建物の窓板の室内側の面」のユーザー側に配置されこれらに対して接触し又は接触しないように且つ略平行に対向する対向面を有する部材（例えば、シート状又はフィルム状の部材）に供給されるべき赤外線を発生する赤外線発生ステップと、前記の発生された赤外線を、前記部材の前記対向面の一部又は全部に拡散させ（例えば、シート状又はフィルム状の部材の略全面に拡散させ）、この拡散された赤外線を、暖房用の赤外線として、ユーザーの居る方向に向けて放出する赤外線放出ステップと、を含むものである。
【００１６】
また、本明細書で開示する暖房方法の発明は、「表示装置の画面が表示される面、鏡のユーザーを映す面、又は建物の窓板の室内側の面」のユーザー側に配置されこれらに対して接触し又は接触しないように且つ略平行に対向する対向面を有する部材（例えば、シート状又はフィルム状の部材）の一部又は全部から（例えば、シート状又はフィルム状の部材の略全体から）、暖房用の赤外線を、ユーザーの居る方向に向けて放出するようにしたものである。
【００１７】
本明細書で開示する暖房装置に関する第１の発明は、「表示装置の画面が表示される面、鏡のユーザーを映す面、又は建物の窓板の室内側の面」のユーザー側に配置されこれらに対して接触し又は接触しないように且つ略平行に対向する対向面を有する部材（例えば、シート状又はフィルム状の部材）に供給されるべき赤外線を発生するための赤外線発生部と、前記対向面を有する透明な赤外線放出部であって、前記赤外線発生部により発生された赤外線を、前記対向面の一部又は全部に拡散させ（例えば、シート状又はフィルム状の部材の略全面に拡散させ）、この拡散された赤外線を、暖房用の赤外線として、前記対向面の一部又は全部からユーザーの居る方向に向けて放出するための透明な赤外線放出部と、を備えたものである。この発明においては、前記赤外線発生部は、前記画面表示部が何らかの画面を表示しているときだけ、赤外線を発生するように構成されている、ことが望ましい。
【００１８】
本明細書で開示する暖房装置に関する第２の発明は、「表示装置の画面が表示される面、鏡のユーザーを映す面、又は建物の窓板の室内側の面」のユーザー側に配置されこれらに対して接触し又は接触しないように且つ略平行に対向する対向面を有する透明な赤外線放出部であって、前記対向面の一部又は全部から（例えば、シート状又はフィルム状の部材の略全面から）、暖房用の赤外線を、ユーザーの居る方向に向けて放出するための透明な赤外線放出部、を備えたものである。この第２の発明においては、前記透明な赤外線放出部は、外部の赤外線発生部から供給された赤外線を、前記対向面の一部又は全部に拡散し（例えば、シート状又はフィルム状の部材の略全面に拡散し）、この拡散した赤外線を、暖房用の赤外線として、前記対向面の一部又は全部からユーザーの居る方向に向けて放出するための透明な導光板を含むものである、ことが望ましい。また、この第２の発明において、前記透明な赤外線放出部は、前記「表示装置の画面が表示される面、鏡のユーザーを映す面、又は建物の窓板の室内側の面」のユーザー側にこれと対向するように配置され、自らがその一部又は全部から（例えば、シート状又はフィルム状の部材の略全面から）、暖房用の赤外線を発生し、これを前記対向面の一部又は全部からユーザーの居る方向に向けて放射するための面状の（例えば、シート状又はフィルム状の）透明な赤外線放射体と、前記赤外線放射体と対向又は接触するように配置され、前記赤外線放射体を加熱するための面状の（例えば、シート状又はフィルム状の）透明な発熱体（透明ヒーター）と、を備えていることが望ましい。また、この第２の発明において、前記透明な赤外線放出部は、導電性を有しており、外部から供給される電流により自らが発熱し、この発熱により、自らがその一部又は全部から暖房用の赤外線を発生し、これを前記対向面の一部又は全部からユーザーの居る方向に向けて放射するための、面状の（例えば、シート状又はフィルム状の）透明な赤外線放射体、により構成されていることが望ましい。また、この第２の発明において、前記透明な赤外線放出部は、前記の「表示装置の画面が表示される面、鏡のユーザーを映す面、又は建物の窓板の室内側の面」のユーザー側の位置に配置された赤外線放射装置から放射される赤外線を前記対向面の一部又は全部で受けて、それを暖房用の赤外線としてユーザーの居る方向に向けて反射させるための透明な反射部、により構成されている、ことが望ましい。
【００１９】
本明細書で開示する暖房装置に関する第３の発明は、「映像などの画面を表示するための画面表示部の表示面のユーザー側にこれと接触し又は接触しないように且つこれと略平行に対向するように配置された対向面」を有する部材（例えば、シート状又はフィルム状の部材）に供給されるべき赤外線を発生する（赤外線を前記画面表示部が画面を表示しているとき又は表示していないときに発生する）ための赤外線発生部と、前記赤外線発生部により発生された赤外線を、前記対向面の一部又は全部に拡散させ（例えば、シート状又はフィルム状の部材の略全面に拡散させ）、この拡散された赤外線を、暖房用の赤外線として、前記対向面の一部又は全部からユーザーの居る方向に向けて放出するための赤外線放出部と、を備えたものである。この発明においては、前記赤外線発生部は、前記画面表示部が何らかの画面を表示しているときだけ、赤外線を発生するように構成されている、ことが望ましい。
【００２０】
本明細書で開示する暖房装置に関する第４の発明は、「映像などの画面を表示するための画面表示部の表示面のユーザー側にこれと接触し又は接触しないように且つこれと略平行に対向するように配置された対向面」を有する透明な赤外線放出部であって、前記対向面の一部又は全部から（例えば、シート状又はフィルム状の部材の略全面から）、暖房用の赤外線を、ユーザーの居る方向に向けて放出するための透明な赤外線放出部、を備えたものである。この第４の発明においては、前記赤外線放出部は、前記画面表示部が何らかの画面を表示しているときだけ、赤外線を放出するように構成されている、ことが望ましい。
【００２１】
本明細書で開示する暖房装置に関する第５の発明は、画像を表示するためのスクリーンのユーザーに近い側又はユーザーと反対側に設置された画像投射部であって前記スクリーンに向けて画像を投射するための画像投射部と、前記スクリーンよりユーザーに近い側に配置され、前記スクリーンに向けて赤外線を放出するための赤外線放出部と、「前記スクリーンと略平行でこれと対向する対向面であって、前記表示面のユーザー側にこれと接触し又は接触しないように配置された対向面」を有しており、前記スクリーンのユーザー側に配置され、前記画像投射部から画像が投射されているとき又は投射されていないとき、前記赤外線放射部からの赤外線を前記対向面の一部又は全部で受けて、それを暖房用の赤外線としてユーザーの居る方向に向けて反射させるための透明な反射部と、を備えたものである。
【００２２】
本明細書で開示する暖房装置に関する第６の発明は、画面を表示するための表示パネルと、前記表示パネルのユーザーと反対側に配置された、赤外線を放出するための赤外線放出部と、を備え、前記表示パネルは、画像を表示しているとき又は画像を表示していないとき、前記赤外線放射部からの赤外線を、暖房用の赤外線として、ユーザーの居る方向に透過できるように構成されている、ものである。
【００２３】
本明細書で開示する暖房装置に関する第７の発明は、画像を表示するためのスクリーンと、前記スクリーンのユーザーに近い側又はユーザーと反対側から、前記スクリーンに向けて画像を投射するための画像投射部と、前記スクリーンのユーザーと反対側の位置に設置された、赤外線を放出するための赤外線放出部と、を備え、前記スクリーンは、前記表示投射部から画像が投射されているとき又は投射されていないとき、前記赤外線放射部からの赤外線を、暖房用の赤外線として、ユーザーの居る方向に透過させることができるように構成されている、ものである。
【００２４】
（用語説明）  本発明において「赤外線発生部」は、例えば、赤外線ランプ、ハロゲンランプ、カーボンランプ、赤外線発光ダイオード（ＬＥＤ）、セラミックヒータ、赤外線照射電気ヒーター（赤外線照射セラミックに直接通電してそれを発熱させて赤外線を照射させるもの）などの赤外線発生源を含むが、これらに限定されない。また、本明細書において「赤外線」という用語を使用する場合は、原則として、遠赤外線及び近赤外線の双方を含む意味で使用している。
【００２５】
本発明において、「赤外線放出部」は、（ａ）外部の赤外線発生部からの暖房用の赤外線を受けて、その暖房用の赤外線を面状に拡散してユーザー方向に反射するもの、（ｂ）外部の赤外線発生部からの赤外線を受けて、その赤外線により自らが発熱し、その結果、自らが暖房用の赤外線を面状に発生し、それをユーザー方向に放射するもの、（ｃ）電力や熱などの外部エネルギーを受けて自らが発熱し、その結果、自らが暖房用の赤外線を面状に発生し、それをユーザー方向に放射するもの、（ｄ）外部の赤外線放射装置から放射される赤外線を受けて、その赤外線をそのままユーザー方向に反射するもの、など様々な形態がありうる。
【００２６】
また、本発明において、前記の赤外線発生部、赤外線放出部は、テレビなどの表示装置、化粧台あるいは鏡台、又は窓板及び窓枠などに内蔵又は固定されるものでもよいが、テレビなどの表示装置、鏡台、又は窓板及び窓枠などとは別個・独立に製造・販売され設置されるもの、例えば、テレビなどの表示装置、鏡台、又は窓板などに「外付け」されるものでもよい。
【００２７】
さらに、本発明において、前記の表示装置や鏡は、建物の室内に配置されるものに限らず、ユーザーが携帯して戸外に持ち運べるものでもよい。例えば、携帯型情報機器のディスプレイの表示面や携帯型の鏡の鏡面に対向する対向面から暖房用の赤外線を放出するものでもよい。
【発明の効果】
【００２８】
本発明によれば、表示装置の表示面、鏡台又は化粧台の鏡面、又は窓板面などのユーザーからみて縦方向の面に対向又は接触する部分から暖房用の赤外線を放出することができるので、「ユーザーからみて縦方向の面（表示装置の表示画面、鏡台あるいは化粧台の鏡面、又は窓板面のユーザーから見て略垂直方向のスペース」を、暖房（赤外線暖房）の用途のために使用することができる。
【００２９】
よって、本発明によれば、透明素材を使用しているため、表示装置の表示画面、鏡台又は化粧台の鏡面、又は窓板面などの本来の機能を損なうことなく、表示装置の表示画面、鏡台又は化粧台の鏡面、又は窓板面などのユーザーから見て垂直方向のスペースを有効に活用して効率的な赤外線暖房を行うことができるようになる。特に、本発明においては、近年に広面積化が進んでいる表示装置の表示画面、鏡台又は化粧台の鏡面、又は窓板面などに対向するスペース（ユーザーから見て縦方向のスペース）に配置された部材から赤外線を放出するようにしているので、効率的な輻射熱暖房が可能になる（一般に、赤外線暖房は、赤外線を放出する部分の面積が広くなれば広くなる程、輻射熱による暖房の効率が向上する）。
【００３０】
また、本発明によれば、室内のスペースの有効利用を実現でき、「室内のユーザーから見て略垂直方向のスペースの相当部分を、近年大型化したテレビの表示画面、鏡台あるいは化粧台の鏡面、又は窓板面などのスペースが占有してしまうために、室内の家具などのレイアウト・デザインに大きな制約が生じてしまうという問題」を解決することができる。
【００３１】
また、一般の住宅では、「テレビなどの表示装置の表示画面、鏡台あるいは化粧台の鏡面、又は窓板面」とユーザーとの間には、ユーザーが前記表示画面、鏡面、又は窓板面を見るための障害となるような障害物は、存在しないのが通常である。また、一般の住宅では、前記表示画面、鏡面、又は窓板面は、ユーザーから良く見えるように、日常的に活動している状態にあるユーザーの正面側と所定の距離を介して対向又は接触するように配置されている。したがって、本発明によれば、前記表示画面、鏡面、又は窓板面と対向又は接触する部分を利用して暖房用の赤外線をユーザー側に供給するようにしているので、暖房用の赤外線暖房を、途中の障害物に邪魔されることなく確実に、且つ効率的に、ユーザー側に供給することができる。
【発明を実施するための最良の形態】
【００３２】
本発明を実施するための最良の形態は、以下の実施例１又は実施例５などについて述べるような形態である。
【実施例１】
【００３３】
図１Ａは本発明の実施例１による液晶テレビを示すものである。図１Ａ（ａ）において、３１はテレビに使用される液晶表示パネル、４０はこの表示パネル３１などを保持する筐体である。前記筐体４０の中には、図示は省略しているが、前記表示パネル３１に所定の情報を表示するための処理装置や液晶用バックライト装置などが備えられている。
【００３４】
また、図１Ａ（ａ）において、４１は前記筐体４０の内部に収容された赤外線発生源としての赤外線ランプ（図１Ａの紙面に対して直交する方向に延びる細長い棒状のランプ）、４３は前記赤外線ランブ４１からの暖房用の赤外線（遠赤外線など）を後述の導光板４４の方向に反射・集光させるために前記赤外線ランプ４１の図示下方を覆っている断面が略半円状の反射板である（なお、前記反射板４３は、前記赤外線ランプ４０を保持及び保護するためのホルダーを兼ねる）。
【００３５】
また、図１Ａ（ａ）において、４４は前記赤外線ランプ４１から導かれた暖房用の赤外線を、前記表示パネル３１の画面と並行でこれと対向又は接触する面全体に拡散して、前記表示パネル３１の画面と並行でこれと対向又は接触する面のほぼ全面から、面状に、ユーザー１０の方向に反射させるための透明な導光板（Ｌｉｇｈｔ  Ｇｕｉｄｅ  Ｐｌａｔｅ）、である。前記導光板４４は、アクリル樹脂などの透明樹脂で形成されている。
【００３６】
なお、ここで、前記導光板４４の構造を図１Ａ（ｂ）を参照して説明する。図１Ａ（ｂ）に示すように、前記導光板４４には、その表示パネル３１側（図示左側）の面に、多数の反射プリズムＢが形成されている。この反射プリズムＢは、例えば１００μｍ間隔の狭ピッチで形成されている。前記赤外線ランプ４１からの赤外線は、導光板４４の中に導入されると、前記反射プリズムＢで反射されて、ユーザー方向（図示右方向）に反射される（図１Ａ（ｂ）の破線Ａ参照）。
【００３７】
以上のように、前記導光板４４は、前記表示パネル３１に表示された画像をユーザーの方向に透過できる透明な構造を保ちながら、同時に、前記赤外線ランプ４１からの赤外線を面状に拡散させて更にユーザー方向に反射させる機能をも有している。
【００３８】
すなわち、前記導光板４４は、前記赤外線ランプ４１からの赤外線を表示パネル３１の画面と対向又は接触する部分の面全体に広げるという「赤外線拡散機能」と、この拡散した赤外線をユーザー方向に反射させるという「赤外線への指向性付与機能」との２つの機能を果たしている。
【００３９】
なお、前記の導光板４４の反射プリズムＢの機能及び構成の理解に資するため、日経ＢＰ社発行の雑誌「日経エレクトロニクス２００４年３月１日号」の第３５ページの「１枚のパネルで両面液晶  透明な導光板で実現」という記事の一部を、次の（ａ）及び（ｂ）のとおり、引用しておく。前記導光板４４は、この記事で紹介されているバックライト用の透明な導光板と同様のものである。
【００４０】
（ａ）「１枚のパネルを使って表と裏の両面ともに画像表示できる液晶パネル・モジュール「リバーシブルＬＣＤ」を三菱電機が試作した。バックライト光源の光を液晶パネルまで導く導光板を、従来の不透明なものから透明な構造に変えることで実現した。（中略）従来の導光板は，液晶パネルと反対側の面にすりガラスのような凹凸をつけ，液晶パネルに向け光を散乱させていた。パネルと反対の方向に散乱した光は，反射板でパネル側に戻していた。このすりガラスのような凹凸と反射板との２つが，導光板に入射した光の透過を拒んでいた。今回の導光板は，前記凹凸の代わりに「反射プリズム」を形成した。この「反射プリズム」が導光板内部を伝わる光をパネル側に全反射するので、反射板を省略できる。反射プリズムの面積は，パネル面に垂直な方向からみると非常に狭い。このため，パネル面に垂直方向から入射した光のほとんどは、導光板を透過できる。（後略）」
【００４１】
（ｂ）「・透明な導光板の採用で、表も裏も画像表示。液晶パネルを２つの導光板が挟む構造を採る。パネルの垂直方向に進行する光（点線部）の大部分を透過する構造の導光板を開発したことで，表と裏の両方で画像が表示できるようになった。従来の導光板は，すりガラスのような凹凸を裏面に持つ上，導光板を通る光の利用率を高めるための反射板を付けているため，光を透過させることができなかった。今回の「リバーシブルＬＣＤ」の導光板は、１００μｍ間隔で多数の反射プリズムを形成し、これらにより導光板を通る光を反射させるようにしたので、凹凸や反射板を不要にできた。・従来の液晶パネル・モジュールの導光板：導光板に凹凸を付け、光を散乱させる。液晶パネルの反対側に散乱した光は、反射板で跳ね返す。・「リバーシブルＬＣＤ」の導光板：１００μｍ間隔で反射プリズムを付け、光を全反射させる。導光板の凹凸や反射板が不要になり、導光板を透明にできる。」
【００４２】
また、図１Ａ（ａ）において、４８は前記導光板４４の図示上方の端面に接触且つ対向するように配置された反射板（例えば、銀スパッタフィルム）であって、前記導光板４４に導光された赤外線が前記端面から無意味な方向に逃げないようにするための反射板である。
【００４３】
本実施例１は、ユーザー１０がリモートコントローラ（図示せず）を使用して操作する。ユーザー１０が、前記リモートコントローラにより、「赤外線を表示画面方向からユーザー方向に向けて、表示画面と対向又は接触する部分のほぼ全面から、面状に照射することによる輻射熱暖房（赤外線暖房）を行うように指令する信号」を送信すると、筐体４０内に内蔵されたコントローラ（図示せず）の制御により、前記赤外線ランプ４１に所定の電力が供給される。
【００４４】
これにより前記赤外線ランプ４１からの暖房用の赤外線が前記導光板４４に入射され、さらに、これが導光板４４内で拡散され且つユーザー方向に反射されて、ユーザー１０の方向に照射される（図１Ａ（ａ）の符号Ａで示す破線の矢印を参照）。なお、前記リモートコントローラは、前記赤外線ランプ４１からの赤外線の照射量も調整できる。
【００４５】
なお、本実施例１においては、図１Ａに示すように赤外線ランプ４１は前記導光板４４の下方に配置されているが、本発明では、前記赤外線ランプ４１は導光板４４又は表示パネル３１の上方又は側方に配置するようにしてもよい。
【００４６】
なお、本実施例１と異なって、「図１Ａの赤外線ランプ４１を使用して、これから直接にユーザー方向に赤外線を照射する」という従来の赤外線暖房機による暖房方法も考えられる。しかしながら従来の赤外線暖房機による暖房方法では、赤外線ランプとユーザー１０との間にテーブル２０などの障害物が存在することが多いため、赤外線ランプからの赤外線の大部分はユーザー１０に直接に照射できないという可能性が高い。
【００４７】
これに対して、本実施例１のように、赤外線ランプ４１からの暖房用の赤外線をいったん導光板４４に導き、この導光板４４により、前記表示パネル３１の表示画面と対向又は接触する部分の略全面から面状にユーザー１０に供給するようにしたときは、赤外線ランプ４１からの赤外線は、テーブル２０などの障害物に邪魔されることなく、ユーザー１０側に確実に照射される。すなわち、一般に、テレビの表示画面とユーザー１０との間には障害物は存在しない（そうでないと、ユーザー１０は障害なくテレビ画面を視聴することができない）ので、本実施例１のようにテレビの表示画面と対向又は接触する面（導光板４４）から赤外線を照射することにより、暖房用の赤外線を確実にユーザー１０に照射することができる。
【００４８】
また、本実施例１では、ユーザー１０が操作する前記リモートコントローラの信号は、「近赤外線以外の無線」、例えば電波を使用することが望ましい。なぜなら、前記表示パネル３１の画面方向から多量の赤外線（遠赤外線だけでなく近赤外線を含む）がユーザー方向に照射されるので、前記リモートコントローラからの信号の送信のために近赤外線を使用する場合は、前記リモートコントローラからの信号が前記赤外線ランプ４１からの近赤外線と混信して、テレビの操作についての誤作動が発生してしまう恐れがあるためである。
【００４９】
また、本実施例１において、前記ユーザー１０が手元で使用するリモートコントローラの信号として近赤外線を使用する場合は、近赤外線を吸収（遮蔽）する機能を有する透明の近赤外線吸収フィルムを、図１Ａの前記導光板４４のユーザー側に配置することが望ましい。なぜなら、前記透明の近赤外線吸収フィルムにより、前記赤外線ランプ４１からの近赤外線が前記導光板４４を介してユーザー方向に照射されることによる前記リモートコントローラの誤作動を防止できるからである。
【００５０】
また、本実施例１では、液晶テレビの液晶表示パネル３１のユーザー側に導光板４４を配置する例を説明したが、本発明はこれに限られるものではなく、前記液晶表示パネル３１に代えて様々な画面表示部を採用することができる。すなわち、本発明では、前記液晶表示パネル３１に代えて、プラズマディスプレイパネル（ＰＤＰ）、有機ＥＬ（エレクトロルミネッセンス）パネル、ＦＥＤ（フィールド・エミッション・ディスプレイ）パネル、背面投射型テレビのスクリーン、ホームシアタ用のフロント・プロジェクタからの映像を表示するためのスクリーン、などの様々な画面表示部を採用することができる。
【００５１】
また、本実施例１では、赤外線発生源として赤外線ランプ４１を使用しているが、本発明では、この赤外線ランプ４１に代えて、赤外線発生源として、様々な赤外線発生手段、例えば、ハロゲンランプ、赤外線放射セラミック、赤外線放射電気ヒーター、赤外線ＬＥＤ、などを使用することができる。
【００５２】
また、本実施例１では、図１Ａに示すように、前記液晶表示パネル３１の図示右側の面と導光板４４の図示左側の面とが僅かな距離だけ離れているが、本発明では、前記液晶表示パネル３１と導光板４４とを互いに接触するように配置してもよいことは勿論である。
【００５３】
次に、図１Ｂ（ａ）は本実施例１の暖房装置に付加される制御装置を説明するための図である。図１Ｂ（ａ）において、３１は液晶表示パネル、１１１はこの液晶表示パネル３１の照度を検出するための（前記照度の検出により液晶表示パネル３１が画像を表示しているかどうかを検出するための）照度センサ、１１２はユーザーが本実施例１を操作するために使用するリモートコントローラ、４１は暖房用の赤外線を発生させるための赤外線ランプ、４１ａは前記リモートコントローラ１１２からの操作信号と前記照度センサ１１１からの検出信号とに基づいて前記赤外線ランプ４１への電源供給の有無及び電源の供給量を制御するための電源制御装置、である。
【００５４】
本実施例１では、図１Ｂ（ａ）に示すように、前記表示パネル３１の近傍に照度センサ１１１が付加的に備えられている。この照度センサ１１１は、前記表示パネル３１が画面を表示しているかどうかを検出するためのものである。
【００５５】
前記電源制御装置４１ａは、ユーザーが手元で操作するリモートコントローラ（リモートコントローラ）１１２からの制御情報に基づいて、前記赤外線ランプ４１への電源の供給の有無を切り換えるようになっている。また、前記電源制御装置４１ａは、前記リモートコントローラ１１２からの制御情報に基づいて、前記赤外線ランプ４１からの赤外線の発生量をも制御する。さらに、前記電源制御装置４１ａは、前記照度センサ１１１からの出力に基づいて、前記照度センサ１１１からの出力が前記表示パネル３１が画面を表示していることを示すものであるときに限り、前記赤外線ランプ４１に電源を供給するようにしている。なお、前記リモートコントローラ１１２は、前記表示パネル３１を含むテレビの遠隔操作もできるものであってもよい。
【００５６】
次に、図１Ｂ（ａ）に示す装置を付加された本実施例１の動作を説明する。本実施例１では、前記照度センサ１１１は常時、表示パネル３１が画面を表示しているかどうかを検出し、その検出結果を前記電源制御装置４１ａに出力する（図１Ｂ（ａ）の矢印ａ参照）。前記電源制御装置４１ａは、前記照度センサ１１１から「前記表示パネル３１が画面を表示していること」を示す信号を受信し、且つ、前記リモートコントローラ１１２から「前記赤外線ランプ４１を点灯せよ」との制御情報を受信したときだけ、前記赤外線ランプ４１に電源を供給して前記赤外線ランプ４１を点灯させるようにしている。
【００５７】
したがって、図１Ｂ（ａ）に示す装置が付加された本実施例１では、もし、ユーザーが前記リモートコントローラ１１２により赤外線ランプ４１の点灯（これによる前記導光板４４からの赤外線の放出）を指示しても、前記表示パネル３１が画面を表示していないときは、前記電源制御装置４１ａは前記赤外線ランプ４１を点灯させない。
【００５８】
また、本実施例１では、前記表示パネル３１が画面を表示しており、前記赤外線ランプ４１が点灯し、前記導光板４４から赤外線がユーザー方向に放出されている場合でも、その後に前記表示パネル３１が画面の表示を停止したときは、前記電源制御装置１１１は、それを検知したことを示す前記照度センサ１１１からの信号に基づいて、自動的に、前記赤外線ランプ４１への電源の供給を停止する。
【００５９】
以上により、図１Ｂ（ａ）に示す装置を本実施例１に付加したときは、前記表示パネル３１の画面表示の動作と前記赤外線ランプ４１の点灯動作とが互いに連動するようになる。図１Ｂ（ａ）に示す装置を本実施例１に付加することにより、前記表示パネル３１が画面を表示しているときだけ（部屋内にテレビを視聴しているユーザーが居るときだけ）、前記赤外線ランプ４１が点灯する。よって、「部屋内に誰もいないのに前記赤外線ランプ４１だけが点灯している（ユーザーがテレビは消したのに、赤外線ランプ４１を消し忘れている）」という事態を防止することができる。
【００６０】
なお、前記の説明では、前記照度センサ１１１からの出力を前記電源制御装置４１ａに出力するようにした（図１Ｂ（ａ）の矢印ａ参照）が、本発明では、前記照度センサ１１１からの出力を前記リモートコントローラ１１２に無線で送信する（図１Ｂ（ａ）の破線の矢印ｂ参照）ようにしてもよい。このようにした場合は、前記リモートコントローラ１１２は、前記照度センサ１１１からの信号が前記表示パネル３１が画面を表示していることを示すものであるときだけ、前記赤外線ランプ４１を点灯させるための指示情報を、前記電源制御装置４１ａに無線送信するように設定される。
【００６１】
次に、図１Ｂ（ｂ）は、前記の図１Ｂ（ａ）に示す装置に代替できる他の装置を説明するための図である。図１Ｂ（ｂ）において、図１Ｂ（ａ）と共通する部分には同一の符号を付している。この図１Ｂ（ｂ）の装置では、図１Ｂ（ａ）の前記照度センサ１１１を設置する代わりに、前記表示パネル３１を制御する表示パネル制御装置３１ａが、前記表示パネル３１が画面を表示しているとき、そのことを示す信号を前記電源制御装置４１ａに出力する（図１Ｂ（ｂ）の矢印ａ参照）。したがって、前記の図１Ｂ（ａ）に示す装置に代えて、前記の図１Ｂ（ｂ）に示す装置を本実施例１に付加する場合でも、前記表示パネル３１の画面表示の動作と前記赤外線ランプ４１の点灯動作とが互いに連動するようになり、前記の図１Ｂ（ａ）に関して説明したのと同様の効果を奏することができる。
【００６２】
なお、前記の説明では、前記表示パネル制御装置３１ａからの出力を前記電源制御装置４１ａに出力するようにした（図１Ｂ（ｂ）の矢印ａ参照）が、本発明では、前記表示パネル制御装置３１ａからの出力を前記リモートコントローラ１１２に無線で出力する（図１Ｂ（ｂ）の破線の矢印ｂ参照）ようにしてもよいことは、図１Ｂ（ａ）で説明したのと同様である。
【００６３】
次に、図１Ｂ（ｃ）は、前記の図１Ｂ（ａ）に示す装置に代替できる他の装置を説明するための図である。図１Ｂ（ｃ）において、図１Ｂ（ａ）と共通する部分には同一の符号を付している。この図１Ｂ（ｃ）の装置では、ユーザーが手元で操作するリモートコントローラ（リモートコントローラ）１１２ａが、前記表示パネル制御装置３１ａと前記電源制御装置４１ａとに対して、同時に、互いに連動する制御情報を送信するようにしている。すなわち、前記リモートコントローラ１１２ａは、「前記表示パネル３１による画面表示を開始させると共に前記赤外線ランプ４１の点灯を開始させることを指示する情報」を前記表示パネル制御装置３１ａと前記電源制御装置４１ａとに対して同時に無線送信する。また、前記リモートコントローラ１１２ａは、「前記表示パネル３１による画面表示を停止させると共に前記赤外線ランプ４１の点灯を停止させることを指示する情報」を前記表示パネル制御装置３１ａと前記電源制御装置４１ａとに対して同時に無線送信する。以上により、図１Ｂ（ｃ）に示す装置を本実施例１に付加した場合でも、前記表示パネル３１の画面表示の動作と前記赤外線ランプ４１の点灯動作とが互いに連動するようになり、前記の図１Ｂ（ａ）について説明したのと同様の効果を奏することができる。
【００６４】
次に、図１Ｃは本実施例１の変形例を示すものである。図１Ｃの例では、「赤外線ランプ４１、反射板４３、導光板４４、及び反射板４８」が、前記表示パネル３１を収容している筐体４０とは別個・独立に構成されている。すなわち、図１Ｃの例では、前記「赤外線ランプ４１、反射板４３、導光板４４、及び反射板４８」が、脚部兼用の支持部１０１に支持されて、前記筐体４０の近傍に配置されている。そして、前記導光板４４は、前記支持部１０１により、前記表示パネル３１の近傍のユーザー１０側の位置に、前記表示パネル３１の表示面と対向又は接触するように配置されている。この図１Ｃの例では、前記の「赤外線ランプ４１、導光板４４、反射板４３、反射板４８、及び支持部１０１から成るセット」は、前記表示パネル３１及び筐体４０を含む液晶テレビとは別個・独立に、製造・販売することができる。また、図１Ｃの例によっても、図１Ａを参照して説明した本実施例１と同様の作用効果を奏することができる。また、図１Ｃに示す変形例についても、前記の図１Ｂ（ａ）−（ｃ）の装置を付加できることは勿論である。
【実施例２】
【００６５】
次に、本発明の実施例２を図２に基づいて説明する。本実施例２の構成は、前記の実施例１と基本的に同様である。本実施例２が前記実施例１と異なる点は、図２に示すように、赤外線ランプ４１からの赤外線を集光して導光板４４に導くための集光レンズ４２を赤外線ランプ４１と導光板４４との間に配置している点である。本実施例２では、この集光レンズ４２により、前記赤外線ランプ４１からの赤外線が効率的に導光板４４の図示下方の端面に導かれるようになる。本実施例２によっても、前記実施例１とほぼ同様の作用効果を得ることができる。
【００６６】
なお、図２において、４３ａは、前記赤外線ランプ４１からの赤外線が前記集光レンズ４２を介して前記導光板４４に導かれる過程で前記赤外線が無意味な方向に逃げないようにするために前記赤外線ランプ４１と前記集光レンズ４２を覆う反射板である。
【実施例３】
【００６７】
次に、本発明の実施例３を図３Ａに基づいて説明する。図３Ａにおいて、図１Ａと共通する部分には同一の符号を付している。図３Ａにおいて、４４は、赤外線ランプ４１からの暖房用の赤外線を表示パネル３１の画面と対向又は接触する部分の面全体に拡散して、ユーザー方向に反射させるための透明な導光板である。すなわち、前記導光板４４は、前記赤外線ランプ４１からの赤外線を表示パネル３１の画面と対向又は接触する部分の面全体に拡散するという「赤外線拡散機能」と、この拡散した赤外線をユーザー方向に反射させるという「赤外線への指向性付与機能」との２つの機能を果たすためのものである。前記導光板４４の構成は、図１の導光板４４と同様である。
【００６８】
また、図３Ａにおいて、４５は、前記表示パネル３１と前記導光板４４との間に介在された透明な反射板（Ｒｅｆｌｅｃｔｉｏｎ  Ｓｈｅｅｔ）であって、前記導光板４４に導かれた光が前記表示パネル３１方向に反射しないように（無意味な方向に逃げないように）するための透明な反射板である。前記反射板４５は、例えば、銀スパッタフィルムにより、又は銀スパッタフィルムがコーティングされた透明板により、構成されている。この反射板４５は、前記の導光板４４の反射プリズム（図１Ａ（ｂ）の符号Ｂを参照）が有する「赤外線への指向性付与機能」が十分なものであるときは、省略してもよい。
【００６９】
また、図３Ａにおいて、４６は、前記導光板４４のユーザー１０側に配置された透明な拡散シート（Ｄｉｆｆｕｓｅｒ）であって、前記導光板４４によって前記表示パネル３１の画面と対向又は接触する面状に拡散された赤外線をさらに拡散させるための透明な拡散シートである。この拡散シート４５は、前記の導光板４４が有する「赤外線拡散機能」が十分なものであるときは、省略してもよい。
【００７０】
また、図３Ａにおいて、４７は、前記拡散シート４６のユーザー１０側に配置されたプリズムシートであって、前記導光板４４及び前記拡散シート４５からの赤外線がユーザー１０方向に高い指向性を持って出射するように（前記赤外線が無駄な方向に出射しないように）前記赤外線の指向性を高めるためのプリズムシートである。なお、このプリズムシート４７は、前記の導光板４４が有する「赤外線への指向性付与機能」が十分なものであるときは、省略してもよい。
【００７１】
また、図３Ａにおいて、４８は、前記導光板４４、拡散シート４６、及びプリズムシート４７の図示上方の端面に対向又は接触するように配置された反射板であって、前記導光板４４、拡散シート４６、及びプリズムシート４７に導光された赤外線が前記端面から無意味な方向に逃げないようにするための反射板である。前記反射板４８は、例えば、銀スパッタフィルムにより、又は銀スパッタフィルムがコーティングされた透明板により、構成される。
【００７２】
本実施例３においても、前記実施例１とほぼ同様の作用効果が得られる。すなわち、前記赤外線ランプ４１からの暖房用の赤外線が前記導光板４４に入射され、さらに、これが導光板４４内で拡散されユーザー方向に反射されて（さらに、前記拡散シート４６で拡散され、前記プリズムシート４７で高い指向性を付与されて）、ユーザー１０の方向に照射される（図３Ａの符号Ａで示す破線の矢印を参照）。
【００７３】
なお、前述のように、前記導光板４４と前記表示パネル３１との間には面状（平板状）の透明な反射板４５が介在させられている。よって、本実施例では、前記導光板４４に導光された赤外線による熱が表示パネル３１の方向に伝導されて表示パネル３１に対して熱による障害を与えてしまうことがより確実に防止されている。
【００７４】
次に、図３Ｂは本実施例３の変形例を示すものである。図３Ｂの例では、「赤外線ランプ４１、導光板４４、拡散シート４６、プリズムシート４７、及び反射板４８」が、前記表示パネル３１を収容している筐体４０とは別個・独立に構成されている。すなわち、図３Ｂの例では、「赤外線ランプ４１、導光板４４、拡散シート４６、プリズムシート４７、及び反射板４８」が、脚部兼用の支持部１０２に支持されて、前記筐体４０の近傍に配置されている。そして、前記の「反射板４５、導光板４４、拡散シート４６、及びプリズムシート４７」は、前記支持部１０１により、前記表示パネル３１の近傍の位置に、前記表示パネル３１の表示面と対向又は接触するように配置されている。この図３Ｂの例では、前記の「赤外線ランプ４１、導光板４４、拡散シート４６、プリズムシート４７、反射板４８、及び支持部１０２から成るセット」は、前記表示パネル３１及び筐体４０を含む液晶テレビとは別個・独立に、製造・販売することができる。この図３Ｂの例によっても、図３Ａで説明した本実施例３と同様の作用効果を奏することができる。
【実施例４】
【００７５】
図４Ａは本発明の実施例４による液晶テレビを示すものである。図４Ａにおいて、図１Ａと共通する部分には同一の符号を付して説明を省略する。図４Ａにおいて、５１は、前記表示パネル３１のユーザー側の表面に備えられた平板状の透明な赤外線反射体である。この透明赤外線反射体５１は、後述の赤外線照射体５３からの赤外線をユーザーの方向に反射させるためのもので、例えば、銀などの金属の薄膜などがコーティングされた透明なフィルム又はシートから成る。この透明赤外線反射体５１は、公知の接着剤などにより、前記表示パネル３１のユーザー側の面に固定されている。
【００７６】
また、図４Ａにおいて、５２は、前記透明赤外線反射体５１のユーザー側の表面に備えられた平板状の透明ヒーターで、後述の透明赤外線照射体５３を加熱するためのものである。この透明ヒーター５２は、例えば、従来より公知のＴＦＴ（Ｔｈｉｎ  Ｆｉｌｍ  Ｔｒａｓｉｓｔｏｒ）型液晶表示装置の透明電極に使用されているＩＴＯ（インジウム・スズ酸化物（酸化インジウム））などを材料とする透明導電性フィルムにより構成される。この透明ヒーター５２は、ユーザー１０が操作するリモートコントローラ操作により、図示しない電源から電流が供給されることにより所定温度まで加熱させられる。この透明ヒーター５２は、公知の接着剤などにより、前記透明赤外線反射体５１のユーザー側の面に固定されている。
【００７７】
また、図４Ａにおいて、５３は、前記透明ヒーター５２のユーザー側の面に備えられた平板状の透明の赤外線照射体である。この透明の赤外線照射体５３は、前記透明ヒーター５２からの熱で加熱されて遠赤外線を発生しこれをユーザー側に照射する性質を有するものである。この透明の赤外線照射体５３は、例えば、公知の透明セラミック材料から成る薄膜（ｆｉｌｍ）又は平板（ｓｈｅｅｔ）により構成される。公知の透明セラミック材料としては、例えば、株式会社村田製作所（日本国京都府長岡京市東神足１−１０−１）が製造・販売している「ルミセラ」（商品名）がある。この「ルミセラ」は、光学ガラスと同等の透過率・透光性を有しており、カメラ用レンズなどに使用されている。この透明赤外線照射体５３は、公知の接着剤などにより、前記透明ヒーター５２のユーザー側の面に固定されている。
【００７８】
また、図４Ａにおいて、５４は、前記透明赤外線照射体５３により発生された赤外線がユーザー方向以外の無意味な方向（図示上下方向）に逃げないようにするために、前記の透明赤外線反射体５１、透明ヒーター５２、及び透明赤外線照射体５３の各上下の端面に設置された反射板、である。
【００７９】
次に、本実施例４の動作を説明する。ユーザー１０が、リモートコントローラ（図示せず）の操作により、暖房用の赤外線の照射による輻射熱暖房（赤外線暖房）を指示する信号を送信すると、前記筐体４０内のコントローラ（図示せず）は、このリモートコントローラからの信号に対応して、図示しない電源から前記透明ヒーター５２に所定の電流を流して、前記透明ヒーター５２を加熱する。この透明ヒーター５２からの熱により前記透明赤外線照射体５３が加熱され、この加熱された前記透明赤外線照射体５３から暖房用の赤外線が発生して、それがユーザー方向に照射される（図４Ａの符号Ａで示す破線の矢印を参照）。
【００８０】
なお、前記透明赤外線照射体５３から発生された赤外線の中、前記表示パネル３１の方向に照射された赤外線は、前記透明赤外線反射体５１により反射されてユーザー方向に照射される。したがって、前記透明赤外線照射体５３からの赤外線は、そのほとんど全てがユーザー１０方向に照射される。よって、効率的な輻射熱暖房を達成できると共に、前記透明赤外線照射体５３からの赤外線の熱が前記表示パネル３１の障害を発生させてしまうという問題が回避される。
【００８１】
なお、図４Ａでは図示していないが、前記表示パネル３１と前記透明赤外線反射体５１との間に平板状の透明な断熱体を介在させることも可能であり、このようにすれば、前記透明ヒーター５２及び前記透明赤外線照射体５３からの熱が表示パネル３１に伝導することが回避され、表示パネル３１の熱による障害がより確実に防止できる。
【００８２】
また、本実施例４において、前記ユーザー１０が手元で使用するリモートコントローラの信号に近赤外線を使用するときは、前記透明赤外線照射体５３から暖房用の赤外線の中に含まれる近赤外線がユーザー方向に照射されることによるリモートコントローラの誤作動を防止するために、近赤外線を吸収する透明の近赤外線吸収フィルムを図４Ａの前記透明赤外線照射体５３のユーザー側に配置させることが望ましい。
【００８３】
また、本実施例４においては、前記透明赤外線照射体５３に暖房用の赤外線を発生させるために前記透明ヒーター５２を使用しているが、本発明では、前記透明赤外線照射体５３に透明ヒーターの役割をも持たせることにより、前記透明ヒーター５２を省略するようにしてもよい。すなわち、前記透明赤外線照射体５３に導電性材料を混合するなどの方法により前記透明赤外線照射体５３に導電性を付与するように構成したときは、前記透明赤外線照射体５３に外部から電流を供給することにより、前記透明赤外線照射体５３は、自ら発熱し（図４Ａの例のように前記透明ヒーター５２からの熱伝導により加熱させられるのではなく）、暖房用の赤外線を発生するようになる（実施例５参照）。
【００８４】
次に、図４Ｂは本実施例４の変形例を示すものである。図４Ｂの例では、「透明赤外線反射体５１、透明ヒーター５２、透明赤外線照射体５３、及び反射板５４」が、前記表示パネル３１を収容している筐体４０とは別個・独立に構成されている。すなわち、図４Ｂの例では、「透明赤外線反射体５１、透明ヒーター５２、透明赤外線照射体５３、及び反射板５４」が、脚部兼用の支持部１０３に支持されて、前記筐体４０の近傍に配置されている。そして、前記の「透明赤外線反射体５１、透明ヒーター５２、透明赤外線照射体５３、及び反射板５４」は、前記支持部１０３により、前記表示パネル３１の近傍の位置に、前記表示パネル３１の表示面と対向又は接触するように配置されている。この図４Ｂの例では、前記の「透明赤外線反射体５１、透明ヒーター５２、透明赤外線照射体５３、反射板５４、及び支持部１０３から成るセット」は、前記表示パネル３１及び筐体４０を含む液晶テレビとは別個・独立に、製造・販売することができる。図４Ｂの例によっても、図４Ａで説明した本実施例４と同様の作用効果を奏することができる。
【実施例５】
【００８５】
図５Ａは本発明の実施例５による液晶テレビを示すものである。図５Ａにおいて、図４Ａと共通する部分には同一の符号を付して説明を省略する。本実施例５は、前記の実施例４と基本的構成は同様であるので、以下では、前記実施例４と異なる点についてのみ説明する。前記実施例４においては、図４Ａの前記透明赤外線放射体５３から暖房用の赤外線を発生させるために、前記透明赤外線放射体５３を加熱するための前記透明加熱体（透明ヒーター）５２を使用している。これに対して、本実施例５では、前記透明赤外線放射体に透明加熱体の役割をも持たせることにより、前記透明加熱体５２を省略するようにしている。
【００８６】
すなわち、図５Ａにおいて、５３ａは図４Ａの前記透明赤外線放射体５３に例えばＩＴＯ（酸化インジウム）などの導電性材料を混合するなどの方法により導電性を有するように構成された透明赤外線放射体である。
【００８７】
したがって、本実施例５においては、前記透明赤外線放射体５３ａに外部の電源から電流を供給することにより、前記透明赤外線放射体５３ａは、自ら発熱し（図４Ａの例のように前記透明加熱体５２からの熱伝導により加熱させられるのではなく）、この発熱により、自ら、暖房用の赤外線を発生し、これをユーザー方向に放射する。なお、図５Ａにおいて、５５は前記透明赤外線放射体５３ａのユーザー側に配置された透明な絶縁シートである（前記透明赤外線放射体５３ａに印加される電圧は数〜数十ボルト程度の弱いもので済むから、前記絶縁シート５５は省略も可能である）。
【００８８】
次に、図５Ｂは本実施例５の変形例を示すものである。図５Ｂの例では、前記の「透明赤外線反射体５１、導電性を有する透明赤外線放射体５３ａ、絶縁シート５５、及び反射板５４」が、前記表示パネル３１を収容している筐体４０とは別個・独立に構成されている。すなわち、図５Ｂの例では、前記の「透明赤外線反射体５１、透明赤外線放射体５３ａ、絶縁シート５５、及び反射板５４」が、脚部兼用の支持部１０３に支持されて、前記筐体４０の近傍に配置されている。そして、前記の「透明赤外線反射体５１、透明赤外線放射体５３ａ、絶縁シート５５、及び反射板５４」は、前記支持部１０３により、前記表示パネル３１の表面の近傍の位置に、これと対向又は接触するように配置されている（なお、前記透明赤外線反射体５１は、前記表示パネル３１の表面と接触するように配置するのが望ましい）。この図５Ｂの例では、前記の「透明赤外線反射体５１、透明赤外線放射体５３ａ、絶縁シート５５、反射板５４、及び支持部１０３」は、前記表示パネル３１及び筐体４０を含む液晶テレビとは別個・独立に、製造・販売することができる。また、図５Ｂの例によっても、図５Ａで説明した本実施例５と同様の作用効果を奏することができる。
【実施例６】
【００８９】
図６Ａは本発明の実施例６による鏡台を説明するための図である。図６Ａにおいて、図１Ａと共通する部分には同一の符号を付して説明を省略する。図６Ａ（ａ）において、１３１は鏡、１４０はこの鏡１３１などを保持・収容するための筐体、１４０ａは前記筐体１４０を下方から支持するための支持脚、である。
【００９０】
また、図６Ａ（ａ）において、４４は、赤外線ランプ４１からの赤外線を、前記鏡１３１の鏡面と対向又は接触する面全体に拡散して、この拡散した赤外線を面状にユーザー１０の方向に反射射させるための透明な導光板（Ｌｉｇｈｔ  Ｇｕｉｄｅ  Ｐｌａｔｅ）、である。前記導光板４４の構造は、図６Ａ（ｂ）に示す多数の反射プリズムＢが形成されていることなど、図１Ａで説明した実施例１の導光板４４と同一である。
【００９１】
次に本実施例６の動作を説明する。ユーザー１０が、前記筐体１４０に取り付けられた操作パネル（図示せず）又はリモートコントローラ（図示せず）を操作して、「鏡１３１の鏡面方向からユーザー方向に向けて、暖房用の赤外線を照射せよ」という指令信号を、前記筐体１４０内に内蔵されたコントローラ（図示せず）に送信すると、前記コントローラの制御により、前記赤外線ランプ４１に所定の電力が供給される。これにより、前記赤外線ランプ４１から暖房用の赤外線が前記導光板４４に入射される。この入射された赤外線は、前記導光板４４の内部に拡散され、さらに前記導光板４４によりユーザー方向に反射されて、ユーザー１０に照射される（図６Ａ（ａ）の符号Ａで示す破線の矢印を参照）。なお、ユーザー１０は、前記操作パネル又は前記リモートコントローラを操作することにより、前記赤外線ランプ４１からの赤外線の照射量も調整できる。
【００９２】
なお、本実施例６においては、図６Ａ（ａ）に示すように赤外線ランプ４１は前記導光板４４の下方に配置されているが、本発明では、前記赤外線ランプ４１は前記導光板４４又は鏡１３１の上方又は側方に配置するようにしてもよい。また、図６Ａ（ａ）の例では、鏡３１のユーザー側の鏡面と導光板４４との間に微小な間隔が開いているが、本発明では、前記鏡面に導光板４４を接触（密着）させるようにしてもよい。また、図６Ａの例では、赤外線発生源として赤外線ランプ４１を使用しているが、本発明では、この赤外線ランプ４１に代えて、様々な赤外線発生手段（例えば、ハロゲンランプ、カーボンランプ、赤外線放射セラミック、赤外線放射電気ヒーター、赤外線ＬＥＤ、など）を使用することができる。
【００９３】
次に、図６Ｂは本実施例６の暖房装置に付加される制御装置を説明するための図である。図６Ｂにおいて、１１１ａは前記鏡１３１（図６Ａ参照）の前方にユーザー１０が存在しているかどうかを検出するための人体感知センサ、１１２はユーザーが本実施例６を操作するために使用するための操作部、４１は暖房用の赤外線を発生させるための赤外線ランプ、４１ａは前記操作部１１２からの操作信号と前記人体感知センサ１１１ａからの信号とに基づいて前記赤外線ランプ４１への電源供給の有無及び電源の供給量の制御を行うための電源制御装置、である。
【００９４】
本実施例６では、前記鏡３１の近傍に人体感知センサ１１１ａが備えられている。この人体感知センサ１１１ａは、例えば人体から発生する赤外線を検出するなどの方法により、前記鏡１３１の前方にユーザー１０が存在しているかどうかを検出する。図６Ｂにおいて、前記電源制御装置４１ａは、前記赤外線ランプ４１への電源の供給の有無を制御する。また、前記電源制御装置４１ａは、前記赤外線ランプ４１からの赤外線の発生量も制御できる。
【００９５】
また、図６Ｂにおいて、前記操作部１１２は、ユーザーが前記赤外線ランプ４１などを操作するための操作情報を入力するための操作パネル又はリモートコントローラである。前記電源制御装置４１ａは、前記操作部１１２から入力される操作情報に基づいて、前記赤外線ランプ４１への電源の供給の有無を制御する。また、前記電源制御装置４１ａは、前記操作部１１２から入力される操作情報に基づいて、前記赤外線ランプ４１からの赤外線の発生量を制御する。さらに、前記電源制御装置４１ａは、前記人体感知センサ１１１ａからの出力に基づいて、前記人体感知センサ１１１ａからの出力が前記鏡３１の前方にユーザーが存在していることを示すものであるときに限り、前記赤外線ランプ４１に電源を供給するようにしている。
【００９６】
次に、図６Ｂに示す装置を付加された本実施例６の動作を説明する。本実施例６では、前記人体感知センサ１１１ａは、常時、鏡１３１の前方にユーザーが存在しているかどうかを検出し、その検出結果を前記電源制御装置４１ａに出力する（図６Ｂの矢印ａ参照）。前記電源制御装置４１ａは、冬季においては、前記人体感知センサ１１１ａから「前記鏡３１の前方にユーザーが存在していること」を示す信号を受信し、且つ、前記操作部１１２から「前記赤外線ランプ４１を点灯せよ」との操作情報を受信したときだけ、前記赤外線ランプ４１に電源を供給して前記赤外線ランプ４１を点灯させるようにしている。
【００９７】
したがって、図６Ｂに示す装置が付加された本実施例６においては、もし、前記操作部１１２から赤外線ランプ４１の点灯（前記導光板４４からの赤外線の放出による赤外線暖房）を指示する情報が入力されても、前記鏡１３１の前方にユーザーが存在していないときは、前記電源制御装置４１ａは、前記赤外線ランプ４１を点灯させない。また、本実施例６では、前記鏡１３１の前方にユーザーが存在しており、前記赤外線ランプ４１が点灯している（よって前記導光板４４から赤外線がユーザー方向に放出されている）場合でも、その後に前記鏡１３１の前方からユーザーが存在しなくなったときは、前記電源制御装置４１ａは、そのことを示す前記人体感知センサ１１１ａからの信号に基づいて、自動的に、前記赤外線ランプ４１への電源の供給を停止する。
【００９８】
以上により、図６Ｂに示す装置を本実施例６に付加したときは、前記鏡１３１の前方にユーザーが存在しているかどうかと前記赤外線ランプ４１の点灯動作とが互いに連動するようになる。よって、本実施例６では、前記鏡１３１の前方にユーザーが存在しているときだけ、前記赤外線ランプ４１が点灯するので、「前記鏡１３１の前方にユーザーが存在していないのに前記赤外線ランプ４１だけが点灯している（ユーザーが前記鏡１３１の前方から離れたのに、赤外線ランプ４１を消し忘れている）」という事態を防止することができる。
【００９９】
なお、前記の説明では、前記人体感知センサ１１１ａからの信号を前記電源制御装置４１ａに出力するようにした（図６Ｂの矢印ａ参照）が、本発明では、前記人体感知センサ１１１ａからの出力を前記操作部１１２に送信する（図６Ｂの破線の矢印ｂ参照）ようにしてもよい。この場合は、前記操作部１１２は、冬季において、前記人体感知センサ１１１ａからの信号が「前記鏡１３１の前方にユーザーが居ること」を示すものであるときだけ、前記赤外線ランプ４１を点灯させるための指示情報を、前記電源制御装置４１ａに送信するように設定される。
【０１００】
次に、図６Ｃは本実施例６の変形例を示すものである。図６Ｃの例では、「赤外線ランプ４１、反射筒４３、導光板４４、及び反射板４８」が、前記鏡１３１を保持している筐体１４０とは別個に構成されている。すなわち、図６Ｃの例では、「赤外線ランプ４１、反射筒４３、導光板４４、及び反射板４８」が、脚部兼用の支持部１０１に支持されて、前記筐体１４０の近傍に配置されている。そして、前記導光板４４は、前記支持部１０１により、前記鏡１３１の鏡面の近傍の位置に、前記鏡面と対向又は接触するように配置されている。この図６Ｃの例では、前記の「赤外線ランプ４１、反射筒４３、導光板４４、反射板４８、及び支持部１０１」から成るセット（赤外線放出装置）は、前記鏡１３１及び筐体１４０から構成される鏡台（鏡台）（家具）とは別個・独立に、製造又は販売することができる。図６Ｃに示す変形例によっても、図６Ａで説明した本実施例６と同様の作用効果を奏することができる。また、図６Ｃに示す変形例についても、前記の図６Ｂの装置を付加できる。
【実施例７】
【０１０１】
次に、本発明の実施例７を図７に基づいて説明する。本実施例７の構成は、前記の実施例６と基本的に同様である。本実施例７が前記実施例６と異なる点は、図７に示すように、赤外線ランプ４１からの赤外線を集光して導光板４４に導くための集光レンズ４２を赤外線ランプ４１と導光板４４との間に配置している点である。本実施例７では、この集光レンズ４２により、前記赤外線ランプ４１からの赤外線が効率的に導光板４４の図示下方の端面に導かれるようになる。なお、図７において、４３ａは、前記赤外線ランプ４１からの赤外線が前記集光レンズ４２を介して前記導光板４４に導かれる過程で前記赤外線が無意味な方向に逃げないようにするために前記赤外線ランプ４１と前記集光レンズ４２を覆う反射板である。本実施例７によっても、前記実施例６と同様の作用効果を得ることができる。
【０１０２】
なお、本実施例７においては、「赤外線ランプ４１、集光レンズ４２、及び反射板４３ａ」を前記導光板４４の図示下方に配置しているが、本発明においては、「赤外線ランプ４１、集光レンズ４２、及び反射板４３ａ」を前記導光板４４の図示上方又は側方に配置するようにしてもよい。
【実施例８】
【０１０３】
次に、本発明の実施例８を図８Ａに基づいて説明する。図８Ａにおいて、図６Ａ及び図７Ａと共通する部分には同一の符号を付して説明を省略する。図８Ａにおいて、４４は導光板である。この導光板４４は、図示下方の赤外線ランプ４１からの赤外線を、自らの鏡１３１の鏡面（ユーザー側の面）と対向又は接触する部分の面全体に広げ、さらに、ユーザー方向に反射させる。すなわち、前記導光板４４は、前記赤外線ランプ４１からの赤外線を、前記鏡１３１の鏡面と対向又は接触する部分の面全体に広げるという「赤外線拡散機能」と、この拡散した赤外線をユーザー方向に反射させるという「赤外線への指向性付与機能」と、の２つの機能を有している。本実施例８の前記導光板４４の構成は、前記の実施例６，実施例７の導光板４４と同様である。
【０１０４】
本実施例８においても、前記実施例６，７と同様の作用効果が得られる。すなわち、前記赤外線ランプ４１からの赤外線が前記導光板４４に入射され、さらに、この入射された赤外線が導光板４４内で拡散されユーザー１０の方向に反射されて（さらに、前記拡散シート４６で拡散され、前記プリズムシート４７で高い指向性を付与されて）、ユーザー１０に向けて照射される（図８Ａの符号Ａで示す破線の矢印を参照）。なお、本実施例８においては、前記赤外線ランプ４１が前記導光板４４の図示下方に配置されているが、本発明では、前記赤外線ランプ４１を前記導光板４４の図示上方又は側方に配置するようにしてもよい。
【０１０５】
次に、図８Ｂは本実施例３の変形例を示すものである。図８Ｂの例では、図８Ａの前記「赤外線ランプ４１、導光板４４、拡散シート４６、プリズムシート４７、及び反射板４５，４８」が、前記鏡１３１を収容している前記筐体１４０とは別個・独立に構成されている。すなわち、図８Ｂの例では、前記「赤外線ランプ４１、導光板４４、拡散シート４６、プリズムシート４７、及び反射板４５，４８」が、脚部兼用の支持部１０２に支持されて、前記筐体１４０のユーザー側の近傍に配置されている。また、前記の「反射板４５、導光板４４、拡散シート４６、及びプリズムシート４７」は、前記支持部１０１により、前記鏡１３１の鏡面のユーザー側に、これと対向又は接触するように配置されている。この図８Ｂの例では、前記の「赤外線ランプ４１、導光板４４、拡散シート４６、プリズムシート４７、反射板４５，４８、及び支持部１０２」から成るセット（赤外線放出装置）は、前記鏡１３１及び筐体１４０から成る鏡台とは別個・独立に、製造又は販売することができる。また、図８Ｂの例によっても、図８Ａで説明した本実施例８と同様の作用効果を奏する。また、図８Ｂの例では、赤外線ランプ４１は前記導光板４４の図示下方に配置されているが、本発明では前記赤外線ランプ４１を前記導光板４４の図示上方又は側方に配置するようにしてもよい。
【実施例９】
【０１０６】
図９Ａは本発明の実施例９による鏡台を示すものである。図９Ａにおいて、１３１は鏡、１４０はこの鏡１３１を収容する筐体である。また、５１は、前記鏡１３１のユーザー側の鏡面に備えられた平板状の透明な赤外線反射体である。この透明赤外線反射体５１は、後述の赤外線照射体５３からの赤外線をユーザー１０の方向に反射させるためのものである。前記透明赤外線反射体５１は、例えば、銀などの金属の薄膜などがコーティングされた透明薄膜（ｆｉｌｍ）又は透明薄板（ｓｈｅｅｔ）により構成されている。
【０１０７】
また、図９Ａにおいて、５２は、前記透明赤外線反射体５１のユーザー側に備えられたフィルム状又はシート状の透明ヒーターである。前記透明ヒーター５２は、後述の透明赤外線照射体５３を加熱するためのものである。前記透明ヒーター５２は、例えば、透明導電フィルムにより構成される。この透明ヒーター５２は、ユーザー１０が前記筐体１４０に設置された操作パネル（図示せず）又はリモートコントローラ（図示せず）を操作することにより、前記筐体１４０に内蔵されている電源（図示せず）から電流が供給されることにより所定温度まで発熱する。
【０１０８】
また、図９Ａにおいて、５３は、前記透明ヒーター５２のユーザー側に備えられたフィルム状又はシート状の透明赤外線照射体である。この透明赤外線照射体５３は、前記透明ヒーター５２からの熱で加熱されることにより遠赤外線を発生しこの発生した遠赤外線をユーザー側に照射するものである。この透明赤外線照射体５３は、例えば、公知の透明セラミック材料から成る薄膜（ｆｉｌｍ）又は平板（ｓｈｅｅｔ）により構成される。公知の透明セラミック材料としては、例えば、株式会社村田製作所（日本国京都府長岡京市天神２−２６−１０）が製造・販売している「ルミセラ」（商品名）がある。この「ルミセラ」は、光学ガラスと同等の透過率・透光性を有しており、カメラ用レンズなどに使用されている。
【０１０９】
また、図９Ａにおいて、５４は、前記透明赤外線照射体５３により発生された赤外線がユーザー１０の方向以外の無意味な方向（図示上下方向）に逃げないようにするために、前記の透明赤外線反射体５１、透明ヒーター５２、及び透明赤外線照射体５３の上下の各端面に設置された反射板、である。
【０１１０】
次に本実施例９の動作を説明する。前記操作パネル又はリモートコントローラから、前記鏡１３１の鏡面と対向又は接触する部分の全面から暖房用の赤外線を照射するように指示する情報が入力されると、前記筐体１４０に内蔵されたコントローラ（図示せず）は、この入力された指示情報に対応して、前記透明ヒーター５２に前記電源から所定の電流を供給して、前記透明ヒーター５２を加熱する。この透明ヒーター５２からの熱により前記透明赤外線照射体５３が加熱される。すると、この加熱された前記透明赤外線照射体５３から暖房用の赤外線が発生して、ユーザー方向に照射される（図９Ａの符号Ａで示す破線の矢印を参照）。
【０１１１】
なお、本実施例９では、前記透明赤外線照射体５３の図示右側の面には、図１Ａ（ｂ）に示すものと同様の多数の反射プリズムＢが狭ピッチで形成されている。そのため、前記透明赤外線照射体５３が発生した赤外線は、前記反射プリズムＢにより指向性を与えられ、そのほとんどがユーザー１０方向に照射される。また、前記透明赤外線照射体５３から発生された赤外線の中の前記鏡１３１の方向に照射された一部の赤外線は、前記透明赤外線反射体５１により反射されてユーザー１０の方向に照射される。したがって、前記透明赤外線照射体５３からの赤外線は、そのほぼ全てがユーザー１０方向に照射されることになり、効率的な輻射熱暖房を達成できる。
【０１１２】
また、本実施例９においては、前記透明赤外線照射体５３に暖房用の赤外線を発生させるために前記透明ヒーター５２を使用しているが、本発明では、前記透明赤外線照射体５３に透明ヒーターの役割をも持たせることにより、前記透明ヒーター５２を省略するようにしてもよい。すなわち、前記透明赤外線照射体５３に導電性材料を混合するなどの方法により前記透明赤外線照射体５３に導電性を付与するように構成したときは、前記透明赤外線照射体５３に外部から電流を供給することにより、前記透明赤外線照射体５３は、自ら発熱し（図４Ａの例のように前記透明ヒーター５２からの熱伝導により加熱させられるのではなく）、暖房用の赤外線を発生するようになる（次の実施例１０参照）。
【０１１３】
次に、図９Ｂは本実施例９の変形例を示すものである。図９Ｂの例では、図９Ａの前記「透明赤外線反射体５１、透明ヒーター５２、透明赤外線照射体５３、及び反射板５４」が、前記鏡１３１を収容している筐体１４０とは別個・独立に構成されている。すなわち、図９Ｂの例では、前記「透明赤外線反射体５１、透明ヒーター５２、透明赤外線照射体５３、及び反射板５４」が、脚部兼用の支持部１０３に支持されて、前記筐体１４０のユーザー側に配置されている。そして、前記の「透明赤外線反射体５１、透明ヒーター５２、透明赤外線照射体５３、及び反射板５４」は、前記支持部１０３により、前記鏡１３１の鏡面の近傍の位置に、前記鏡面と対向又は接触するように配置されている。また、図示は省略するが、前記支持部１０３には、前記透明ヒーター５２を制御及び駆動するためのコントローラ及び電源などが内蔵されている。この図９Ｂの例では、前記の「透明赤外線反射体５１、透明ヒーター５２、透明赤外線照射体５３、反射板５４、及び支持部１０３」から成るセット（赤外線放出装置）は、前記鏡１３１及び筐体１４０から成る鏡台（家具）とは別個・独立に、製造又は販売することができる。また、図９Ｂの例によっても、図９Ａで説明した本実施例９と同様の作用効果を奏する。
【実施例１０】
【０１１４】
図１０Ａは本発明の実施例１０による液晶テレビを示すものである。図１０Ａにおいて、図９Ａと共通する部分には同一の符号を付して説明を省略する。本実施例１０は、前記の実施例９と基本的構成は同様であるので、以下では、前記実施例９と異なる点についてのみ説明する。
【０１１５】
前記の実施例９においては、図９Ａの前記透明赤外線放射体５３から暖房用の赤外線を発生させるために、前記透明赤外線放射体５３を加熱するための前記透明加熱体（透明ヒーター）５２を使用している。これに対して、本実施例１０では、前記透明赤外線放射体に透明加熱体の役割をも持たせることにより、前記透明加熱体５２を省略するようにした。
【０１１６】
すなわち、図１０Ａにおいて、５３ａは図９Ａの前記透明赤外線放射体５３に例えばＩＴＯ（酸化インジウム）などの導電性材料を混合するなどの方法により導電性を有するように構成された透明赤外線放射体である。したがって、本実施例１０においては、前記透明赤外線放射体５３ａに外部の電源から電流を供給することにより、前記透明赤外線放射体５３ａは、自ら発熱し（図９Ａの例のように前記透明加熱体５２からの熱伝導により加熱させられるのではなく）、この発熱により、自ら、暖房用の赤外線を発生し、ユーザー方向に放射する。なお、図１０Ａにおいて、５５は前記透明赤外線放射体５３ａのユーザー側に配置された透明な絶縁シートである（前記透明赤外線放射体５３ａに印加される電圧は数〜数十ボルト程度の弱いもので済むから、前記絶縁シート５５は省略してもよい）。
【０１１７】
次に、図１０Ｂは本実施例１０の変形例を示すものである。図１０Ｂの例では、前記の「透明赤外線反射体５１、導電性を有する透明赤外線放射体５３ａ、絶縁シート５５、及び反射板５４」が、前記表示パネル１３１を収容している筐体１４０とは別個・独立に構成されている。すなわち、図１０Ｂの例では、前記「透明赤外線反射体５１、透明赤外線放射体５３ａ、絶縁シート５５、及び反射板５４」が、脚部兼用の支持部１０３に支持されて、前記筐体１４０の近傍に配置されている。そして、前記「透明赤外線反射体５１、透明赤外線放射体５３ａ、絶縁シート５５、及び反射板５４」は、前記支持部１０３により、前記表示パネル１３１の表面の近傍の位置に、これと対向又は接触するように配置されている（なお、前記透明赤外線反射体５１は、前記表示パネル１３１の表面と接触するように配置するのが望ましい）。この図１０Ｂの例では、前記の「透明赤外線反射体５１、透明赤外線放射体５３ａ、絶縁シート５５、反射板５４、及び支持部１０３」は、前記表示パネル３１及び筐体４０を含む液晶テレビとは別個・独立に、製造・販売することができる。また、図１０Ｂの例によっても、図１０Ａで説明した本実施例１０と同様の作用効果を奏することができる。
【実施例１１】
【０１１８】
次に、図１１Ａは本発明の実施例１１による窓板を利用した暖房装置を示す断面図である。図１１Ａにおいて、図１Ａと共通する部分には同一の符号を付して説明を省略する。図１１Ａにおいて、９０は建物の外壁（外壁９０の図示左側が戸外、同図示右側が室内）、９１は前記外壁９０の開口部に取り付けられたガラス製の窓板、９２は前記窓板９１を前記外壁９０の開口部に固定するための金属製のサッシ（窓枠）、である。
【０１１９】
本実施例１１では、図１１Ａに示すように、前記窓板９１の室内側の面に、前記実施例１（図１Ａ）で説明したものと同様の導光板４４が、公知の接着剤などを使用して固定されている。また、前記導光板４４の図示下方には、前記赤外線ランプ４１と、前記赤外線ランプ４１からの赤外線を前記導光板４４に導くと共に前記赤外線ランプ４１を保持・保護するための断面が略半円状の反射板４３と、が備えられている。なお、前記反射板４３は、前記赤外線ランプ４１を保持するための赤外線ランプホルダーを兼ねる。また、図１１Ａにおいて、９３は前記の赤外線ランプホルダーを兼ねる反射板４３を、前記サッシ９２に取り付けるための取り付け部である。この取り付け部９３は、ネジ９４などにより前記サッシ９２に固定されている。なお、図１１Ａ（ｂ）は前記導光板４４の構成を説明するための図であるが、前記の図１Ａ（ｂ）と基本的に同様であるので、ここでの説明は省略する。
【０１２０】
本実施例１１によれば、前記赤外線ランプ４０に電源を供給して赤外線を発生させることにより、前記の実施例１について述べたことと同様の動作が行われ、前記窓板９１の室内側（ユーザー１０側）の面と対向する部分（前記導光板４４）から、暖房用の赤外線をユーザー１０に照射して赤外線暖房を行うことができる。
【０１２１】
なお、本実施例１１で使用されている前記窓板９１は、前記外壁９０に固定されているタイプ（「嵌め殺し」タイプ）のものであるが、本発明においては、これに限られることなく、例えばユーザーから見て左右方向にスライド可能な窓板、ユーザーから見て前後方向に回動可能な窓板なども使用することができる。
【０１２２】
次に、図１１Ｂは本実施例１１の変形例を示すものである。図１１Ｂの例では、「赤外線ランプ４１、反射板４３、導光板４４、及び反射板４８」が、前記窓板９１とは別個・独立に構成されている。すなわち、図１１Ｂの例では、「赤外線ランプ４１、反射板４３、導光板４４、及び反射板４８」が、脚部兼用の支持部１０１に支持されて、前記窓板９１の近傍に配置されている。そして、前記導光板４４は、前記支持部１０１により、前記表示パネル３１の近傍の位置に、前記窓板９１のユーザー側の面と対向するように配置されている。この図１１Ｂの例によっても、図１１Ａを参照して説明した本実施例１１と同様の作用効果を奏することができる。
【実施例１２】
【０１２３】
次に、図１２Ａは本発明の実施例１２による窓板を利用した暖房装置を示す断面図である。図１２Ａにおいて、図４Ａと共通する部分には同一の符号を付して説明を省略する。図１２Ａにおいて、９０は建物の外壁（外壁９０の図示左側が戸外、同図示右側が室内）、９１は前記外壁９０の開口部に取り付けられる窓板、９２は前記窓板９１を前記外壁９０の開口部に固定するための金属製のサッシ（窓枠）、である。
【０１２４】
本実施例１２では、図１２Ａに示すように、窓板９１の室内側の面に、前記実施例４で説明したものと同様の透明赤外線反射板５１が、公知の接着剤などを使用して固定されている。また、この透明赤外線反射体５１のユーザー１０側の面に、前記実施例４で説明したものと同様の透明ヒーター５２が、公知の接着剤などを使用して固定されている。また、この透明ヒーター５２のユーザー１０側の面に、前記実施例４で説明したものと同様の透明赤外線放射体５３が、公知の接着剤などを使用して固定されている。また、前記反射板５１、透明ヒーター５２、及び赤外線放射体５３の図示上下の端面には、赤外線が無意味な方向に逃げることを防止するための反射板５４が備えられている。
【０１２５】
本実施例１２によれば、前記透明ヒーター５２に図示しない電源から電流を流すことにより、前記実施例４について述べたことと同様の動作が行われ、窓板９１の室内側（ユーザー１０側）の面と対向する部分（前記透明赤外線放射体５１）から、暖房用のの赤外線をユーザー１０に照射して赤外線暖房を行うことができる。
【０１２６】
なお、本実施例１２においては、前記透明赤外線照射体５３に暖房用の赤外線を発生させるために前記透明ヒーター５２を使用しているが、本発明では、前記透明赤外線照射体５３に透明ヒーターの役割をも持たせることにより、前記透明ヒーター５２を省略するようにしてもよい。すなわち、前記透明赤外線照射体５３に導電性材料を混合するなどの方法により前記透明赤外線照射体５３に導電性を付与するように構成したときは、前記透明赤外線照射体５３に外部から電流を供給することにより、前記透明赤外線照射体５３は、自ら発熱し（図４Ａの例のように前記透明ヒーター５２からの熱伝導により加熱させられるのではなく）、暖房用の赤外線を発生するようになる。
【０１２７】
なお、本実施例１２で使用されている前記窓板９１は、前記外壁９０に固定されているタイプ（「嵌め殺し」タイプ）のものであるが、本発明においては、これに限られることなく、例えばユーザーから見て左右方向にスライド可能な窓板、ユーザーから見て前後方向に回動可能な窓板なども使用することができる。
【０１２８】
次に、図１２Ｂは本実施例１２の変形例を示すものである。図１２Ｂの例では、図１２Ａの前記「透明赤外線反射体５１、透明ヒーター５２、透明赤外線照射体５３、及び反射板５４」が、前記窓板９１とは別個・独立に構成されている。すなわち、図１２Ｂの例では、前記「透明赤外線反射体５１、透明ヒーター５２、透明赤外線照射体５３、及び反射板５４」が、脚部兼用の支持部１０３に支持されて、前記窓板９１の近傍に配置されている。そして、前記の「透明赤外線反射体５１、透明ヒーター５２、透明赤外線照射体５３、及び反射板５４」は、前記支持部１０３により、前記窓板９１の近傍の位置に、前記窓板９１のユーザー側の面と対向するように配置されている。この図１２Ｂの例によっても、図１２Ａで説明した本実施例１２と同様の作用効果を奏することができる。
【実施例１３】
【０１２９】
図１３Ａは本発明の実施例１３による窓板を使用する暖房装置を示すものである。図１３Ａにおいて、図１２Ａと共通する部分には同一の符号を付して説明を省略する。本実施例１３は、前記の実施例１２と基本的構成は同様であるので、以下では、前記実施例１２と異なる点についてのみ説明する。
【０１３０】
前記の実施例１２においては、図１２Ａの前記透明赤外線放射体５３から暖房用の赤外線を発生させるために、前記透明赤外線放射体５３を加熱するための前記透明加熱体（透明ヒーター）５２を使用している。これに対して、本実施例１３では、後述の透明赤外線放射体５３ａに透明加熱体の役割をも持たせることにより、前記透明加熱体５２を省略するようにしている。
【０１３１】
すなわち、図１３Ａにおいて、５３ａは図１２Ａの前記透明赤外線放射体５３に例えばＩＴＯ（酸化インジウム）などの導電性材料を混合するなどの方法により導電性を有するように構成された透明な赤外線放射体である。したがって、本実施例１３においては、前記透明な赤外線放射体５３ａに外部の電源から電流を供給することにより、前記透明な赤外線放射体５３ａは、自ら発熱し（図１２Ａの例のように前記透明加熱体５２からの熱伝導により加熱させられるのではなく）、この発熱により、自ら、暖房用の赤外線を発生し、ユーザー方向に放射する。なお、図１３Ａにおいて、５５は前記透明な赤外線放射体５３ａのユーザー側に配置された透明な絶縁シートである（前記透明な赤外線放射体５３ａに印加される電圧は数〜数十ボルト程度の弱いもので済むから、前記絶縁シート５５は省略してもよい）。
【０１３２】
次に、図１３Ｂは本実施例１３の変形例を示すものである。図１３Ｂの例では、前記の透明赤外線反射体５１、導電性を有する透明な赤外線放射体５３ａ、絶縁シート５５、及び反射板５４が、前記窓板９１及びサッシ９２とは別個・独立に構成されている。すなわち、図１３Ｂの例では、前記「透明赤外線反射体５１、透明な赤外線放射体５３ａ、絶縁シート５５、及び反射板５４」が、脚部兼用の支持部１０３に支持されて、前記窓板９１及びサッシ９２の近傍（室内側）に配置されている。そして、前記「透明な赤外線反射体５１、透明な赤外線放射体５３ａ、絶縁シート５５、及び反射板５４」は、前記支持部１０３により、前記窓板９１の室内側の面の近傍の位置に、これと対向又は接触するように配置されている（なお、前記透明な赤外線反射体５１は、前記窓板９１の内表面と接触するように配置するのが望ましい）。この図１３Ｂの例では、前記の「透明な赤外線反射体５１、透明な赤外線放射体５３ａ、絶縁シート５５、反射板５４、及び支持部１０３」は、前記窓板９１及びサッシ９２とは別個・独立に、製造・販売することができる。また、図１３Ｂの例によっても、図１３Ａで説明した本実施例１３と同様の作用効果を奏することができる。
【実施例１４】
【０１３３】
図１４Ａ（ａ）は本発明の実施例１４による液晶テレビを示すものである。図１４Ａ（ａ）において、１０はユーザー、１は液晶テレビ用の液晶表示パネル、２は液晶パネル用の可視光放射用バックライト（例えば蛍光灯や白色ＬＥＤ）である。また、図１４Ａにおいて、３ａは前記液晶表示パネル１のユーザーに近い側に設置され遠赤外線を前記液晶表示パネル１に向けて放射するための遠赤外線放射装置（例えば遠赤外線ランプ）、４ａは前記遠赤外線放射装置３ａからの遠赤外線を受けてこれをユーザー側に反射させるために前記液晶表示パネル１のユーザー側表面に備えられた透明の反射部、５はこれらを収容又は保持するための筐体、２０はユーザー１０と前記遠赤外線放射装置３ａとの間に介在するテーブル（家具）、である。
【０１３４】
前記反射部４ａは、例えば、前記液晶表示パネル１の表面に透明の遠赤外線反射塗料をコーティングした反射膜、又は、前記液晶表示パネル１の表面に貼られた透明の遠赤外線反射フィルム、などにより構成される。なお、前記の透明の遠赤外線反射塗料、又は、透明の遠赤外線反射フィルムは、既に、窓ガラス用などとして多数販売されている。例えば、株式会社ヤマヒラ（東京都台東区台東３−８−１２第八江波戸ビル１Ｆ）が製造販売している窓用の透明熱線反射（遮断）フィルム「ｒｅｆｔｅｌ（レフテル）」、ＮＴＴアドバンストテクノロジ株式会社（東京都三鷹市下連雀３−３５−１ネオシティ三鷹ビル６Ｆ）が製造販売している遠赤外線反射塗料「アットシールド・カラー」及び「アットシールド・クリア」、日笠工業株式会社（兵庫県神戸市灘区大石南町３−３−１）が販売している透明遠赤外線反射塗料「アットシールド・クリア」、横河東亜工業株式会社（東京都品川区上大崎１−２−８）が販売施工している「窓ガラス断熱塗装用の遠赤外線反射塗料」、など。
【０１３５】
また、図１４Ａの例では、前記反射部４ａは、その表面が図１４Ａ（ｂ）のような凹凸を有するように形成されている。前記遠赤外線放射装置３ａからの遠赤外線は、前記反射部４ａの凹凸に当たることにより、図１４Ａ（ｂ）の破線Ａで示すように、ユーザー１０の方向に反射される。
【０１３６】
図１４Ａ（ａ）の液晶テレビでは、前記液晶表示パネル１で画像を表示しているとき、バックライト２からの可視光が前記液晶表示パネル１を透過してユーザー側に画像を表示させると同時に、前記遠赤外線放射装置３からの遠赤外線が前記液晶表示パネル１の表面にコーティングされた透明な反射部４ａで反射されてユーザー側に放射（供給）される。よって、ユーザーは、前記液晶表示パネル１に表示される画像を見ながら、同時に、前記液晶表示パネル１の表面の前記反射部４ａにより反射（供給）された遠赤外線（図１４Ａの破線Ａ参照）の輻射熱により身体を温めることができる。
【０１３７】
図１４Ａ（ａ）に示す例では、前述のように、ユーザー１０と遠赤外線放射装置３ａとの間にはテーブル２０が存在している。したがって、遠赤外線放射装置３ａからの遠赤外線を直接にユーザー１０方向に放射しようとしても、前記テーブル２０が障害物となって、ユーザー１０にはほとんど放射されない。これに対して、本実施例３では、前記遠赤外線放射装置３ａからの遠赤外線を前記液晶表示パネル１の表面の反射部４ａで反射するようにしているので、前記遠赤外線放射装置３ａからの遠赤外線は、前記テーブル２０に邪魔されることなく、ユーザー１０側に確実に放射される。一般に、テレビの表示面とユーザー１０との間には障害物は存在しない（そうでないと、ユーザー１０はテレビ画面を障害なく視聴することができない）ので、本実施例３のようにテレビの表示面に形成された反射部４ａを使用することにより、遠赤外線放射装置３ａからの遠赤外線をユーザー１０に確実に放射することができる。なお、本発明では、前記遠赤外線放射装置３ａからの遠赤外線をいったん他の反射板で反射させてから前記反射部４ａに放射するようにしてもよい。
【０１３８】
次に、図１４Ｂは図１４Ａで説明した本実施例１４の変形例を示すものである。図１４Ｂの例では、前記遠赤外線放射装置３ａからの遠赤外線をユーザー側に反射させるための透明の反射部４ａ’が、脚部兼用の支持部１０４に支持されて、前記筐体５に支持された表示パネル１の近傍の位置に、配置されている。前記透明な反射部４ａ’は、表面に透明な遠赤外線反射塗料がコーティングされた透明板、又は、表面に透明の遠赤外線反射フィルムが貼られた透明板により構成される。そして、前記の透明の反射部４ａ’は、前記支持部１０４により、前記表示パネル１の表面の近傍の位置に、これと対向又は接触するように配置されている（なお、前記透明の反射部４ａ’は、前記表示パネル１の表面と接触するように配置するのが望ましい）。この図１４Ｂの例では、前記の透明の反射部４ａ’及び支持部１０４は、前記表示パネル１及び筐体５を含む液晶テレビとは別個・独立に、製造・販売することができる。また、図１４Ｂの例によっても、図１４Ａで説明した本実施例１４と同様の作用効果を奏することができる。
【実施例１５】
【０１３９】
図１５Ａは、本発明の実施例１５による、液晶表示素子を使用する背面投射型テレビを示すものである。図１５Ａにおいて、１１はスクリーン、１２は映像投射用光源ランプ、１３は映像投射用液晶表示素子、１４は前記表示素子１３からの画像を反射するためのミラー、１５は前記ミラーからの画像を拡大してスクリーン１１に投射するための投射レンズ、１６ａは前記スクリーン１１とユーザー１０との間に配置された遠赤外線放射装置であって遠赤外線を前記スクリーン１１に向けて放射するための遠赤外線放射装置、１７ａは前記スクリーン１１のユーザー側表面に備えられた透明の反射部であって前記遠赤外線放射装置１６ａからの遠赤外線をユーザー１０の方向に反射させるための透明の反射部、１８はこれらを収容・保持するための筐体、２０は前記遠赤外線放射装置１６ａとユーザー１０との間に配置されたテーブル（家具）、である。前記反射部１７ａの構成は前記の図１４Ａに関して説明した反射部４ａと同様であるので説明を省略する。
【０１４０】
この図１５Ａの背面投射型テレビでは、前記表示素子１３から投射された画像が、前記ミラー１４及び投射レンズ１５を介して、ユーザーに見えるようにスクリーン１１に表示される。そして、この画像が前記スクリーン１１に表示されているとき、同時に、前記遠赤外線放射装置１６ａからの遠赤外線が前記スクリーン１１の表面に存在する透明の反射部１７ａにより反射されてユーザー方向に放射（供給）される。よって、ユーザーは、前記スクリーン１１に表示された画像を見ながら、同時に、前記スクリーン１１側の前記反射部１７ａにより反射された遠赤外線（図１５Ａの破線Ａ参照）の輻射熱により身体を温めることができる。
【０１４１】
図１５Ａに示す例では、前述のように、ユーザー１０と遠赤外線放射装置１６ａとの間にテーブル２０が存在する。そのため、前記遠赤外線放射装置１６ａからの遠赤外線を直接にユーザー１０に放射しようとしても、前記遠赤外線放射装置１６ａからの遠赤外線は、前記テーブル２０が障害物となって、ユーザー１０側にほとんど放射できない。これに対して、図１５Ａの例では、前述のようなテーブル２０が存在している場合でも、前記遠赤外線放射装置１６ａからの遠赤外線が、前記スクリーン１１の表面の反射部１７ａで反射されることにより、前記テーブル２０に邪魔されることなく、ユーザー１０側に放射される。一般に、テレビの表示面とユーザー１０との間には障害物は存在しない（そうでないと、ユーザー１０はテレビ画面を障害なく視聴することができない）ので、図１５Ａの例のようにテレビの表示面に形成された反射部１７ａを使用することにより、前記遠赤外線放射装置１６ａからの遠赤外線を確実にユーザー１０に放射することができる。
【０１４２】
次に、図１５Ｂは図１５Ａで説明した本実施例１５の変形例を示すものである。図１５Ｂの例では、前記遠赤外線放射装置１６ａからの遠赤外線をユーザー側に反射させるための透明の反射部１７ａ’が、脚部兼用の支持部１０５に支持されて、前記筐体１８に支持された表示パネル１１の近傍の位置に、配置されている。そして、前記の透明の反射部１７ａ’は、前記支持部１０５により、前記スクリーン１１の表面の近傍の位置に、これと対向又は接触するように配置されている。この図１５Ｂの例では、前記の透明の反射部１７ａ’及び支持部１０５は、前記スクリーン１１及び筐体１８を含む背面投射型テレビとは別個・独立に、製造・販売することができる。また、図１５Ｂの例によっても、図１５Ａで説明した本実施例１５と同様の作用効果を奏することができる。
【実施例１６】
【０１４３】
図１６Ａは、本発明の実施例１６による、フロント・プロジェクターを使用するホームシアター装置を示すものである。図１６Ａにおいて、２０はテーブル（家具）、２１はスクリーン、２２はこのスクリーン２１のユーザー側表面に備えられた反射部（この反射部２２の構成は、前記の図１６Ａに関して説明した反射部４ａとほぼ同様のものである）、２３は前記スクリーン２１の前面側すなわちユーザー側に配置されたフロント・プロジェクター（画像をスクリーン２１に投射するもの）、２４は前記フロント・プロジェクター２３の上方に配置され遠赤外線を前記スクリーン２１方向に放出するための遠赤外線放射装置、２５は前記スクリーン２１を支持するためのスクリーン支持部である。なお、前記スクリーン支持部２５は、本実施例１５では床に設置されて図示下方からスクリーン２１を支持するタイプのものを使用しているが、本発明では、天井に設置されて図示上方からスクリーン２１を吊り下げて支持するタイプのものでもよい。
【０１４４】
この図１６Ａのホームシアター装置では、前記フロント・プロジェクター２３から投射された画像がスクリーン２１に表示される。この画像が前記スクリーン２１に表示されているとき、これと同時に、遠赤外線放射装置２４からの遠赤外線は前記スクリーン２１の表面に備えられた前記反射部２２によりユーザー方向に反射される。よって、ユーザーは、前記スクリーン２１の画像を見ながら、同時に、前記スクリーン２１の表面の反射部２２からの遠赤外線の輻射熱により身体を温めることができる。
【０１４５】
図１６Ａに示す例では、前述のように、ユーザー１０と遠赤外線放射装置２４との間にテーブル２０が存在している。そのため、前記遠赤外線放射装置２４からの遠赤外線を直接にユーザー１０に放射しようとしても、前記遠赤外線放射装置２４からの遠赤外線は、前記テーブル２０が障害物となって、ユーザー１０側にほとんど放射できない。これに対して、本実施例１６では、前述のようなテーブル２０が存在しているような場合でも、遠赤外線放射装置２４からの遠赤外線が、前記スクリーン２１の表面の反射部２２で反射されることにより、前記テーブル２０に邪魔されることなく、ユーザー１０側に確実に放射される。一般に、ホームシアター装置のスクリーン２１の表示面とユーザー１０との間の空間には障害物は存在しない（そうでないと、ユーザー１０はテレビ画面を障害なく視聴することができない）ので、本実施例５のようにホームシアターの表示面に形成された反射部２２を使用することにより、前記遠赤外線放射装置２４からの遠赤外線を確実にユーザー１０に放射することができる。
【０１４６】
次に、図１６Ｂは図１６Ａで説明した本実施例１６の変形例を示すものである。図１６Ｂの例では、前記遠赤外線放射装置２４からの遠赤外線をユーザー側に反射させるための平板状の透明の反射部２２ａが、脚部兼用の支持部１０６に支持されて、前記スクリーン２１の近傍の位置に、配置されている。そして、前記の透明の反射部２２ａは、前記支持部１０６により、前記スクリーン２１の表面の近傍の位置に、これと対向又は接触するように配置されている（なお、前記透明の反射部２２ａは、前記スクリーン２１の表面と近接するように配置するのが望ましい）。この図１６Ｂの例では、前記の透明の反射部２２ａ及び支持部１０６は、前記スクリーン２１及び支持部２５とは別個・独立に、製造・販売することができる。また、図１６Ｂの例によっても、図１６Ａで説明した本実施例１６と同様の作用効果を奏することができる。なお、図１６Ｂの支持部１０６は、図示のように建物の床に載置することに代えて、天井に設置して、この天井に設置した支持部１０６により反射部２２ａを吊り下げるようにしてもよい。
【０１４７】
なお、前記の実施例１６では、図１６Ａ及び図１６Ｂに示すように、前記遠赤外線放射装置２４を前記プロジェクター２４と同じ「前記スクリーン２１のユーザー１０側」に配置しておき、前記遠赤外線放射装置２４からの遠赤外線を前記反射部２２，２２ａでユーザー方向に反射するようにしている。しかし、本発明においては、これに限られることなく、例えば、前記スクリーン２１から前記反射部２２，２２ａを取り外して、前記遠赤外線放射装置２４を前記プロジェクター２４と反対側の「前記スクリーン２１のユーザー１０と反対側」に配置しておき、前記遠赤外線放射装置２４からの遠赤外線が前記スクリーン２１を透過してユーザー方向に送られるようにしてもよい。
【実施例１７】
【０１４８】
図１７（ａ）は本発明の実施例１７による鏡台を示すものである。図１７（ａ）において、３１は鏡、３２は前記鏡１３１のユーザー側に備えられた透明の反射部（後述の赤外線照射装置３４ａ，３４ｂからの赤外線をユーザー側に反射させるために前記鏡１３１の鏡面のユーザー側に備えられた透明の反射部）、３４ａ，３４ｂは前記鏡１３１のユーザー側斜め上下方向の近傍の各位置の複数箇所（筐体４０の前記鏡１３１より各斜め上下方向の部分１４０ｂ，１４０ｃの複数箇所）にそれぞれ配置された遠赤外線照射装置、１４０はこれらを収容・支持するための筐体、である。前記遠赤外線照射装置３４ａ，３４ｂは、前記筐体１４０の前記鏡１３１の上下の部分１４０ｂ，１４０ｃの位置から前記鏡１３１に向けて遠赤外線を照射するように構成されている。
【０１４９】
この図１７（ａ）の鏡台では、ユーザーが前記鏡１３１の前方（図示右方向）に居るとき、遠赤外線照射装置３４からの遠赤外線が前記鏡１３１の鏡面に備えられ、さらに前記反射部３２により反射されてユーザー方向に照射される。よって、ユーザーは、前記鏡１３１に自分の顔や身体を写しながら、前記鏡１３１の鏡面と対向するか又はこれと平行に接触する前記反射部３２からの遠赤外線の輻射熱により、自分の顔や身体を温めることができる。
【０１５０】
前記反射部３２は、例えば、前記鏡１３１の鏡面の表面に透明の遠赤外線反射塗料をコーティングした反射膜、又は、前記鏡面の表面に貼られた透明の遠赤外線反射フィルム、などにより構成される。なお、前記の透明の遠赤外線反射塗料、又は、透明の遠赤外線反射フィルムは、既に、窓ガラス用などとして多数販売されている。例えば、株式会社ヤマヒラ（東京都台東区台東３−８−１２第八江波戸ビル１Ｆ）が製造販売している窓用の透明熱線反射（遮断）フィルム「ｒｅｆｔｅｌ（レフテル）」、ＮＴＴアドバンストテクノロジ株式会社（東京都三鷹市下連雀３−３５−１ネオシティ三鷹ビル６Ｆ）が製造販売している遠赤外線反射塗料「アットシールド・カラー」及び「アットシールド・クリア」、日笠工業株式会社（兵庫県神戸市灘区大石南町３−３−１）が販売している透明遠赤外線反射塗料「アットシールド・クリア」、横河東亜工業株式会社（東京都品川区上大崎１−２−８）が販売施工している「窓ガラス断熱塗装用の遠赤外線反射塗料」、など。
【０１５１】
また、図１７（ａ）に示す例では、前記反射部３２は、その表面が図１７（ｂ）のような凹凸（略階段状の斜面）を有するように形成されている。前記遠赤外線照射装置３４ａ，３４ｂからの遠赤外線は、前記反射部３２の凹凸に当たることにより、図１７（ｂ）の破線Ａで示すように、ユーザー１０の方向に反射される。
【０１５２】
なお、図１７（ａ）では、前記鏡１３１の上下の各位置にそれぞれ赤外線照射装置３４ａ，３４ｂを配置しているが、本発明では、前記鏡１３１の上側又は下側の一方の位置のみに「前記鏡１３１の鏡面に向けて赤外線を照射するための赤外線照射装置」を備えるようにしてもよい。また、本発明では、前記図１７（ａ）の反射部３２などの表面側（ユーザー側）に透明（可視光を透過可能）であり且つ遠赤外線を透過可能な保護膜その他の膜をコーティングしたり、前記図１７（ａ）の反射部３２などの表面側（ユーザー側）に透明であり且つ遠赤外線を透過可能な保護フィルムを貼付したりすることも可能である。また、この実施例１７を含む本発明の全ての実施例について、前記の図１Ｂの装置を付加できる。
【実施例１８】
【０１５３】
図１８Ａは本発明の実施例１８による窓板を利用した暖房装置を示すものである。図１８Ａにおいて、図１１Ａと共通する部分には同一の符号を付して説明を省略する。図１８Ａにおいて、３２ｂは、前記窓板９１の室内側（ユーザー側）に備えられた透明の反射部（後述の赤外線照射装置３ａからの赤外線をユーザー側に反射させるために前記窓板９１のユーザー側に備えられた透明の反射部）、３ａは前記窓板９１のユーザー側斜め上下方向の近傍の位置に配置された遠赤外線照射装置、である。前記遠赤外線照射装置３ａは、前記窓板９１の下方から前記窓板９１に向けて遠赤外線を照射するように構成されている。
【０１５４】
この図１８Ａの暖房装置では、ユーザーが前記窓板９１の前方（図示右方向）に居るとき、遠赤外線照射装置３ａからの遠赤外線が前記反射部３２ｂにより反射されてユーザー方向に照射され、前記反射部３２ｂからの遠赤外線の輻射熱により、ユーザーの顔や身体が温められる。
【０１５５】
前記反射部３２ｂは、例えば、前記窓板９１の室内側の面に透明の遠赤外線反射塗料をコーティングした反射膜、又は、前記鏡面の表面に貼られた透明の遠赤外線反射フィルム、などにより構成される。なお、前記の透明の遠赤外線反射塗料、又は、透明の遠赤外線反射フィルムは、既に、窓ガラス用などとして多数販売されている。例えば、株式会社ヤマヒラ（東京都台東区台東３−８−１２第八江波戸ビル１Ｆ）が製造販売している窓用の透明熱線反射（遮断）フィルム「ｒｅｆｔｅｌ（レフテル）」、ＮＴＴアドバンストテクノロジ株式会社（東京都三鷹市下連雀３−３５−１ネオシティ三鷹ビル６Ｆ）が製造販売している遠赤外線反射塗料「アットシールド・カラー」及び「アットシールド・クリア」、日笠工業株式会社（兵庫県神戸市灘区大石南町３−３−１）が販売している透明遠赤外線反射塗料「アットシールド・クリア」、横河東亜工業株式会社（東京都品川区上大崎１−２−８）が販売施工している「窓ガラス断熱塗装用の遠赤外線反射塗料」、など。
【０１５６】
また、図１８Ａに示す例では、前記反射部３２ｂは、その表面が図１７（ｂ）で説明したような凹凸（略階段状の斜面）を有するように形成されている。前記遠赤外線照射装置３ａからの遠赤外線は、前記反射部３２ｂの凹凸に当たることにより、図１７（ｂ）の破線Ａで示すように、ユーザー１０の方向に反射される。
【０１５７】
次に、図１８Ｂは本実施例１８の変形例を示すものである。図１８Ｂの例では、「透明な反射部３２ｂ」が、前記窓板９１及びサッシ９２とは別個・独立に構成されている。すなわち、図１８Ｂの例では、前記透明な反射部３２ｂが、脚部兼用の支持部１０４に支持されて、前記窓板９１及びサッシ９２の近傍に配置されている。この変形例においても、前記遠赤外線照射装置３ａからの赤外線は、前記透明な反射部３２ｂにより反射されてユーザーに送られる。この変形例は、前記窓板９１及びサッシ９２とは別個・独立に、製造又は販売することができる。この変形例によっても、図１８Ａで説明した本実施例１８と同様の作用効果を奏することができる。
【実施例１９】
【０１５８】
図１９は本発明の実施例１９による液晶テレビを示すものである。図１９において、１０はユーザー、１は液晶テレビ用の液晶表示パネル、２は液晶パネル用の可視光放射用バックライト（例えば蛍光灯や白色ＬＥＤ）、３は遠赤外線放射装置（例えば、遠赤外線ランプ）、４は前記遠赤外線放射装置３からの遠赤外線の一部であって前記液晶パネル１の反対方向に放射された遠赤外線を前記液晶表示パネル１の方向（ユーザー１０の方向）に反射させるための反射部、５はこれらを収容する筐体、である。
【０１５９】
図１９の液晶テレビでは、液晶表示パネル１で画像を表示しているとき、前記バックライト２からの可視光が前記パネル１を透過してユーザー１０側に画像を表示させると同時に、前記遠赤外線放射装置３からの遠赤外線（前記反射部４で反射された遠赤外線をも含む）が前記液晶表示パネル１を透過して、ユーザー１０側に放射（供給）される。よって、ユーザー１０は、前記液晶表示パネル１からの画像を見ながら、同時に、前記液晶表示パネル１から放射される遠赤外線（図１Ａの破線Ａ参照）の輻射熱により身体が温められる。一般に、テレビの表示面とユーザー１０との間には障害物は存在しない（そうでないと、ユーザー１０はテレビ画面を障害なく視聴することができない）ので、本実施例１のようにテレビの表示パネル１を使用することにより、遠赤外線放射装置３からの遠赤外線を確実にユーザー１０に放射することができる。
【０１６０】
なお、前記液晶表示パネル１には、カラー表示のために、赤色の部分と青色の部分と緑色の部分とから成るカラーフィルタが備えられていることが多い。このようなカラーフィルタが前記液晶表示パネル１に備えられている場合は、前記遠赤外線放射装置３からの遠赤外線は、前記カラーフィルタの中の青と緑の部分（赤外線を吸収する部分）は透過することができないが、前記カラーフィルタの中の赤の部分（赤外線を吸収しない部分）は透過することができる。
【０１６１】
また、図１９では、図示していないが、ユーザーは、テレビ用リモートコントローラを使用して、前記遠赤外線放射装置３の作動開始、作動停止、及び発生する遠赤外線量の調整などを制御することができる。
【０１６２】
また、図１９では、前記遠赤外線放射装置３は、遠赤外線を放射するが近赤外線はなるべく放射しないように構成している。その理由は、ユーザーが希望する操作情報はテレビ用リモートコントローラから近赤外線によりテレビ側に無線送信されているため、前記液晶表示パネル１の側から多量の近赤外線が放出されると、この表示パネル１側からの近赤外線により、前記テレビ用リモートコントローラからの操作情報（近赤外線）の送信が妨害されてしまう可能性があるからである。なお、テレビ用リモートコントローラからの操作情報を近赤外線でなく近距離通信用電波（例えばブルートュース規格の電波）などによりテレビ側に無線送信するようにすれば、前記遠赤外線放射装置３から遠赤外線だけでなく近赤外線も放出し、表示パネル１から遠赤外線だけでなく近赤外線もユーザー方向に放出するようにしても、問題はない。
【０１６３】
また、本発明では、前記バックライト２と遠赤外線放射装置３は、例えばハロゲンランプなどにより一体的に構成する（ハロゲンランプなどの一つの光源が、バックライトと遠赤外線放射装置とを兼ねる）ようにしてもよい。
【実施例２０】
【０１６４】
図２０は液晶表示パネルを使用する背面投射（リア・プロジェクション）型テレビを示すものである。図２０において、１１はスクリーン、１２は映像投射用光源ランプ、１３は映像投射用表示素子（液晶表示パネル）、１４は前記表示素子１３からの画像を反射するためのミラー、１５は前記ミラー１４からの画像を拡大してスクリーン１１に投射するための投射レンズ、１６は遠赤外線放射装置、１７は遠赤外線放射装置１６からの遠赤外線をスクリーン１１の方向（ユーザーの居る方向）に反射させるための反射部、１８はこれらを収容・保持する筐体、である。
【０１６５】
この図２０の背面投射型テレビでは、前記映像投射用表示素子（液晶表示パネル）１３に前記映像投射用光源ランプ１２からの光を透過させることにより、前記表示素子１３からの画像が、前記ミラー１４及び投射レンズ１５を介して、ユーザーに見えるようにスクリーン１１に表示される。そして、この画像が前記スクリーン１１に表示されているとき、同時に、前記遠赤外線放射装置１６からの遠赤外線が、前記反射部１７で反射されてスクリーン１１に到達し、さらにスクリーン１１を透過して、ユーザー方向に放射（供給）される。よって、ユーザーは、前記スクリーン１１に表示された画像を見ながら、同時に、前記スクリーン１１を透過した遠赤外線（図２０の破線Ａ参照）の輻射熱により身体が温められる。一般に、テレビの表示面とユーザー１０との間には障害物は存在しない（そうでないと、ユーザー１０はテレビ画面を障害なく視聴することができない）ので、図２０の例のようにテレビの表示面となるスクリーン１１を使用することにより、遠赤外線放射装置１６からの遠赤外線Ａを確実にユーザー１０に放射することができる。
【０１６６】
なお、図２０の例では、前記映像投射用表示素子（液晶表示パネル）１３に前記映像投射用光源ランプ１２からの光を透過させることにより、映像を前記ミラー１４及び投射レンズ１５を介してスクリーン１１に投射するようにしているが、本発明では、図２０のミラー１４の位置に映像投射用の反射型液晶（ＬＣＯＳ）を配置して、前記反射型液晶（ＬＣＯＳ）で投射用光源ランプ１２からの光を反射することにより、前記反射型液晶（ＬＣＯＳ）に表示された映像を前記投射レンズ１５を介してスクリーン１１に投射するようにしてもよい（この場合は、前記ミラー１４は省略される）。
【０１６７】
また、図２０の例でも、図１９の例と同様に、ユーザー１０は、前記遠赤外線放射装置１６からの赤外線の発生の有無及びその量について、手元のリモートコントローラ（図示せず）により操作可能である。また、前記遠赤外線放射装置１６は、図１９の例と同様に、遠赤外線を放射し近赤外線はなるべく放射しないように構成している。しかし、前記リモートコントローラからの操作情報を近赤外線でなく近距離通信用電波などによりテレビ側に無線送信するように構成するときは、前記遠赤外線放射装置１６から遠赤外線だけでなく近赤外線も放射し、この遠赤外線及び近赤外線を前記スクリーン１１を介してユーザー方向に放射するようにしても、問題はない。
【０１６８】
また、本実施例において、前記ユーザー１０が手元で使用するリモートコントローラからの信号を近赤外線により無線送信するときは、近赤外線に乗せられたリモートコントローラ信号が前記スクリーン１１からの多量の近赤外線と混信してしまうことを防止するために、近赤外線を吸収する機能を有する透明の近赤外線吸収フィルムを図２０のスクリーン１１の例えばユーザー側に配置させることが望ましい。
【０１６９】
以上、本発明の各実施例を説明したが、本発明はこれらに限定されるものではなく様々な変更が可能である。例えば、前記の実施例１、実施例６、及び実施例１１などにおいては、前記赤外線ランプ４１から発生した光をそのまま前記導光板４４に供給するようにしているが、本発明においては、前記赤外線ランプ４１から発生した光（赤外線と可視光を含む）を、いったん「可視光を遮断して赤外線のみを通過させるフィルタ」に通して、赤外線のみを導光板４４に供給するようにしてもよい。このようにすれば、可視光がユーザー１０側に供給されることが防止されるので、ユーザーに「可視光による眩しさ」を与えることを防止することができる。なお、「可視光を遮断して赤外線のみを通過させるフィルタ（赤外線の透過率が可視光線の透過率よりも高い可視光線遮断フィルタ）」は、既に公知である。
【０１７０】
また、以上の記述においては、「室内のユーザーから見て縦方向の面のスペース」を利用して暖房用の赤外線をユーザー方向に放出するようにした暖房装置の一例として、「テレビの表示面と対向又は接触するスペース」や「鏡台の鏡面と対向又は接触するスペース」や「窓板の面と対向又は接触するスペース」を利用して暖房用の赤外線をユーザー方向に放出するようにした暖房装置を紹介したが、本発明の適用対象はこれらに限られるものではない。本発明では、例えば、冷蔵庫のユーザーからみて縦方向の外面のスペース、洋服ダンスのユーザーから見て縦方向のスペースなどのような「様々な家具のユーザーから見て縦方向のスペース」を、暖房用の赤外線をユーザー方向に放出するためのスペースとして利用することができる。
【０１７１】
また、前記の実施例４（図４Ａ，４Ｂ参照）、前記の実施例９（図９Ａ，図９Ｂ参照）、及び前記の実施例１２（図１２Ａ，１２Ｂ参照）においては、前記透明な赤外線放射体５３とは別個に備えられた前記透明ヒーター５２により前記透明な赤外線放射体５３を加熱するようにしているが、本発明においては、例えば、「前記透明な赤外線放射体５３に導電性繊維などを混入させることにより前記透明な赤外線放射体５３に導電性を持たせておき、前記透明な赤外線放射体５３に直接に電流を流して加熱できるようにし、前記透明ヒーター５２は省略する」ようにしてもよい（前記の実施例５，実施例１０，実施例１３参照）。
【０１７２】
また、前記の前記の実施例４（図４Ａ，４Ｂ参照）、前記の実施例９（図９Ａ，図９Ｂ参照）、及び前記の実施例１２（図１２Ａ，１２Ｂ参照）においては、前記透明な赤外線放射体５３とは別個に備えられた前記透明ヒーター５２により前記透明な赤外線放射体５３を加熱するようにしているが、本発明においては、例えば、「前記液晶表示パネル３１の熱や表示装置のＣＰＵの熱が前記透明な赤外線放射体５３に効率的に伝導されるようにして、前記熱により前記透明な赤外線放射体５３を加熱するようにし、前記透明ヒーター５２は省略するか又は前記透明ヒーター５２と併せて加熱する」ようにしてもよい。
【０１７３】
また、前記実施例の一部では、画面表示部として液晶表示装置やスクリーンを備えたテレビなどを例示したが、本発明の画面表示部は、パーソナル・コンピュータのディスプレイ、ＤＶＤプレーヤのディスプレイ、携帯電話などの携帯型情報機器のディスプレイなど、様々なディスプレイを含む。特に、携帯電話などの携帯型情報機器のディスプレイに本発明を適用した場合、例えば前記実施例４の「透明ヒーターと透明なシート状の赤外線放射体との組合せ」又は前記実施例５の「導電性を有する（自らが発熱できる）透明なシート状の赤外線放射体」を携帯型情報機器のディスプレイに取り付けた場合は、その携帯型情報機器のディスプレイから暖房用赤外線を放出させることができるので、ユーザーが戸外でも手軽に利用できる携帯型の暖房装置を実現できる。
【０１７４】
また、前記の実施例１１、実施例１２、及び実施例１３においては、建物の窓板９１と対向する対向面から暖房用の赤外線を放出するようにしているが、本発明においては、例えば、自動車、バス、電車、飛行機、客船などの乗り物の窓板と対向する対向面から暖房用の赤外線を放出するようにしてもよい。また、前記窓板９１はガラス製としたが、登録プラスチック製などでもよい。
【図面の簡単な説明】
【０１７５】
【図１Ａ】本発明の実施例１による液晶テレビを利用した暖房装置示す図である。
【図１Ｂ】前記実施例１に付加できる制御装置を説明するための図である。
【図１Ｃ】前記実施例１の変形例による液晶テレビ利用した暖房装置を示す図である。
【図２】本発明の実施例２による液晶テレビを利用した暖房装置を示す図である。
【図３Ａ】本発明の実施例３による液晶テレビを利用した暖房装置を示す図である。
【図３Ｂ】前記実施例３の変形例による液晶テレビを利用した暖房装置を示す図である。
【図４Ａ】本発明の実施例４による液晶テレビを利用した暖房装置を示す図である。
【図４Ｂ】前記実施例４の変形例による液晶テレビを利用した暖房装置を示す図である。
【図５Ａ】本発明の実施例５による液晶テレビを利用した暖房装置を示す図である。
【図５Ｂ】前記実施例５の変形例による液晶テレビを利用した暖房装置を示す図である。
【図６Ａ】本発明の実施例６による鏡台を利用した暖房装置を示す図である。
【図６Ｂ】前記実施例６に付加できる制御装置を説明するための図である。
【図６Ｃ】前記実施例６の変形例による鏡台を利用した暖房装置を示す図である。
【図７】本発明の実施例７による鏡台を利用した暖房装置を示す図である。
【図８Ａ】本発明の実施例８による鏡台を利用した暖房装置を示す図である。
【図８Ｂ】前記実施例８の変形例による鏡台を利用した暖房装置を示す図である。
【図９Ａ】本発明の実施例９による鏡台を利用した暖房装置を示す図である。
【図９Ｂ】前記実施例９の変形例による鏡台を利用した暖房装置を示す図である。
【図１０Ａ】本発明の実施例１０による鏡台を利用した暖房装置を示す図である。
【図１０Ｂ】前記実施例１０の変形例による鏡台を利用した暖房装置を示す図である。
【図１１Ａ】本発明の実施例１１による窓板を利用した暖房装置を示す図である。
【図１１Ｂ】本発明の実施例１１の変形例を示す図である。
【図１２Ａ】本発明の実施例１２による窓板を利用した暖房装置を示す図である。
【図１２Ｂ】本発明の実施例１２の変形例を示す図である。
【図１３Ａ】本発明の実施例１３による窓板を利用した暖房装置を示す図である。
【図１３Ｂ】本発明の実施例１３の変形例を示す図である。
【図１４Ａ】本発明の実施例１４による液晶テレビを示す図。
【図１４Ｂ】本発明の実施例１４の変形例による液晶テレビを示す図。
【図１５Ａ】本発明の実施例１５による背面投射型テレビを示す図。
【図１５Ｂ】本発明の実施例１５の変形例による背面投射型テレビを示す図。
【図１６Ａ】本発明の実施例１６によるホームシアター装置を示す図。
【図１６Ｂ】本発明の実施例１６の変形例によるホームシアター装置を示す図。
【図１７】本発明の実施例１７による鏡台を示す図。
【図１８Ａ】本発明の実施例１８による窓板を利用した暖房装置を示す図。
【図１８Ｂ】本発明の実施例１８の変形例を示す図。
【図１９】本発明の実施例１９による液晶テレビを示す図。
【図２０】本発明の実施例２０による背面投射型テレビを示す図。
【符号の説明】
【０１７６】
３１      液晶表示パネル
３１ａ  表示パネル制御装置
３２      反射部
４０，１４０     筐体
４１      赤外線ランプ
４１ａ  電源制御装置
４２      集光レンズ
４３，４３ａ     反射板
４４      導光板
４５，４８，５４           反射板
４６      拡散シート
４７      プリズムシート
５１      透明な赤外線反射体
５２      透明ヒーター
５３，５３ａ     透明赤外線照射体
５５      透明絶縁シート
９０      外壁
９１      窓板
９２      サッシ（窓枠）
９３      取り付け部
１０１，１０２，１０３             支持部
１１１  人体感知センサ
１１１ａ             照度センサ
１１１  電源制御装置
１１２ａ，１１２ａ       操作部（リモートコントローラ）
１３１  鏡
１４０ａ             支持脚
Ｂ          反射プリズム
【図１Ａ】
2005337698.tif 000003
【図１Ｂ】
2005337698.tif 000004
【図１Ｃ】
2005337698.tif 000005
【図２】
2005337698.tif 000006
【図３Ａ】
2005337698.tif 000007
【図３Ｂ】
2005337698.tif 000008
【図４Ａ】
2005337698.tif 000009
【図４Ｂ】
2005337698.tif 000010
【図５Ａ】
2005337698.tif 000011
【図５Ｂ】
2005337698.tif 000012
【図６Ａ】
2005337698.tif 000013
【図６Ｂ】
2005337698.tif 000014
【図６Ｃ】
2005337698.tif 000015
【図７】
2005337698.tif 000016
【図８Ａ】
2005337698.tif 000017
【図８Ｂ】
2005337698.tif 000018
【図９Ａ】
2005337698.tif 000019
【図９Ｂ】
2005337698.tif 000020
【図１０Ａ】
2005337698.tif 000021
【図１０Ｂ】
2005337698.tif 000022
【図１１Ａ】
2005337698.tif 000023
【図１１Ｂ】
2005337698.tif 000024
【図１２Ａ】
2005337698.tif 000025
【図１２Ｂ】
2005337698.tif 000026
【図１３Ａ】
2005337698.tif 000027
【図１３Ｂ】
2005337698.tif 000028
【図１４Ａ】
2005337698.tif 000029
【図１４Ｂ】
2005337698.tif 000030
【図１５Ａ】
2005337698.tif 000031
【図１５Ｂ】
2005337698.tif 000032
【図１６Ａ】
2005337698.tif 000033
【図１６Ｂ】
2005337698.tif 000034
【図１７】
2005337698.tif 000035
【図１８Ａ】
2005337698.tif 000036
【図１８Ｂ】
2005337698.tif 000037
【図１９】
2005337698.tif 000038
【図２０】
2005337698.tif 000039
【手続補正書】
【提出日】平成17年1月28日(2005.1.28)
【手続補正１】
【補正対象書類名】特許請求の範囲
【補正対象項目名】全文
【補正方法】変更
【補正の内容】
【特許請求の範囲】
【請求項１】
「表示装置の画面が表示される面、鏡のユーザーを映す面、又は建物の窓板の室内側の面」のユーザー側にこれらに対して接触し又は接触しないように且つ略平行に対向するように配置された対向面を有する部材に供給されるべき赤外線を発生する赤外線発生ステップと、
前記の発生された赤外線を、前記部材の前記対向面の一部又は全部に拡散させ、この拡散された赤外線を、暖房用の赤外線として、ユーザーの居る方向に向けて放出する赤外線放出ステップと、
を含むことを特徴とする、暖房方法。
【請求項２】
「表示装置の画面が表示される面、鏡のユーザーを映す面、又は建物の窓板の室内側の面」のユーザー側にこれらに対して接触し又は接触しないように且つ略平行に対向するように配置された対向面を有する部材の一部又は全部から、暖房用の赤外線を、ユーザーの居る方向に向けて放出するようにした、ことを特徴とする、暖房方法。
【請求項３】
「表示装置の画面が表示される面、鏡のユーザーを映す面、又は建物の窓板の室内側の面」のユーザー側にこれらに対して接触し又は接触しないように且つ略平行に対向するように配置された対向面を有する部材に供給されるべき赤外線を発生するための赤外線発生部と、
前記対向面を有する透明な赤外線放出部であって、前記赤外線発生部により発生された赤外線を、前記対向面の一部又は全部に拡散させ、この拡散された赤外線を、暖房用の赤外線として、前記対向面の一部又は全部からユーザーの居る方向に向けて放出するための透明な赤外線放出部と、
を備えたことを特徴とする、暖房装置。
【請求項４】
「表示装置の画面が表示される面、鏡のユーザーを映す面、又は建物の窓板の室内側の面」のユーザー側にこれらに対して接触し又は接触しないように且つ略平行に対向するように配置された対向面を有する透明な赤外線放出部であって、前記対向面の一部又は全部から、暖房用の赤外線を、ユーザーの居る方向に向けて放出するための透明な赤外線放出部、を備えたことを特徴とする、暖房装置。
【請求項５】
請求項４において、
前記透明な赤外線放出部は、外部の赤外線発生部から供給された赤外線を、前記対向面の一部又は全部に拡散し、この拡散した赤外線を、暖房用の赤外線として、前記対向面の一部又は全部からユーザーの居る方向に向けて放出するための透明な導光板を含むものである、ことを特徴とする、暖房装置。
【請求項６】
請求項４において、
前記透明な赤外線放出部は、
前記「表示装置の画面が表示される面、鏡のユーザーを映す面、又は建物の窓板の室内側の面」のユーザー側にこれと対向するように配置され、自らがその一部又は全部から、暖房用の赤外線を発生し、これを前記対向面の一部又は全部からユーザーの居る方向に向けて放射するための透明な赤外線放射体と、
前記赤外線放射体と対向し且つ接触するように配置され、前記赤外線放射体を加熱するための透明な発熱体と、
を備えている、ことを特徴とする、暖房装置。
【請求項７】
請求項４において、
前記透明な赤外線放出部は、
導電性を有しており、外部から供給される電流により自らが発熱し、この発熱により、自らがその一部又は全部から暖房用の赤外線を発生し、これを前記対向面の一部又は全部からユーザーの居る方向に向けて放射するための、透明な赤外線放射体、により構成されている、ことを特徴とする、暖房装置。
【請求項８】
請求項４において、
前記透明な赤外線放出部は、
前記の「表示装置の画面が表示される面、鏡のユーザーを映す面、又は建物の窓板の室内側の面」のユーザー側の位置に配置された赤外線放射装置から放射される赤外線を前記対向面の一部又は全部で受けて、それを暖房用の赤外線としてユーザーの居る方向に向けて反射させるための透明な反射部、により構成されている、ことを特徴とする、暖房装置。
【請求項９】
「映像などの画面を表示するための画面表示部の表示面のユーザー側にこれと接触し又は接触しないように且つこれと略平行に対向するように配置された対向面」を有する部材に供給されるべき赤外線を発生するための赤外線発生部と、
前記対向面を有する透明な赤外線放出部であって、前記赤外線発生部により発生された赤外線を、前記対向面の一部又は全部に拡散させ、この拡散された赤外線を、暖房用の赤外線として、前記対向面の一部又は全部からユーザーの居る方向に向けて放出するための透明な赤外線放出部と、
を備えたことを特徴とする、暖房装置。
【請求項１０】
請求項９において、
前記赤外線発生部は、前記画面表示部が何らかの画面を表示しているときだけ、赤外線を発生するように構成されている、ことを特徴とする暖房装置。
【請求項１１】
「映像などの画面を表示するための画面表示部の表示面のユーザー側にこれと接触し又は接触しないように且つこれと略平行に対向するように配置された対向面」を有する透明な赤外線放出部であって、前記対向面の一部又は全部から、暖房用の赤外線を、ユーザーの居る方向に向けて放出するための透明な赤外線放出部、を備えたことを特徴とする、暖房装置。
【請求項１２】
請求項１１において、
前記赤外線放出部は、前記画面表示部が何らかの画面を表示しているときだけ、赤外線を放出するように構成されている、ことを特徴とする暖房装置。
【請求項１３】
画像を表示するためのスクリーンのユーザーに近い側又はユーザーと反対側に設置された画像投射部であって前記スクリーンに向けて画像を投射するための画像投射部と、
前記スクリーンよりユーザーに近い側に配置され、前記スクリーンに向けて赤外線を放出するための赤外線放出部と、
「前記スクリーンのユーザー側にこれと接触し又は接触しないように且つこれと略平行に対向するように配置された対向面」を有しており、前記スクリーンのユーザー側に配置され、前記画像投射部から画像が投射されているとき又は投射されていないとき、前記赤外線放射部からの赤外線を前記対向面の一部又は全部で受けて、それを暖房用の赤外線としてユーザーの居る方向に向けて反射させるための透明な反射部と、
を備えたことを特徴とする、暖房装置。
【請求項１４】
画面を表示するための表示パネルと、
前記表示パネルのユーザーと反対側に配置された、赤外線を放射するための赤外線放射部と、を備え、
前記表示パネルは、画像を表示しているとき又は画像を表示していないとき、前記赤外線放射部からの赤外線を、暖房用の赤外線として、ユーザーの居る方向に透過できるように構成されている、ことを特徴とする、暖房機能付き表示装置。
【請求項１５】
画像を表示するためのスクリーンと、
前記スクリーンのユーザーに近い側又はユーザーと反対側から、前記スクリーンに向けて画像を投射するための画像投射部と、
前記スクリーンのユーザーと反対側の位置に設置された、赤外線を放射するための赤外線放射部と、を備え、
前記スクリーンは、前記表示投射部から画像が投射されているとき又は投射されていないとき、前記赤外線放射部からの赤外線を、暖房用の赤外線として、ユーザーの居る方向に透過させることができるように構成されている、ことを特徴とする、暖房機能付き表示装置。